(57)【要約】【課題】調整用シートによる調整の際に該調整用シートの搬送方向の先端を精度よく読み取ることができ、これにより、原稿を読み取る際に正確な読取開始タイミングで原稿画像を読み取ることが可能な画像読取装置及び画像形成装置を提供する。【解決手段】画像読取装置１００ａ，１００ｂは、原稿読取位置Ｒ１よりも搬送方向Ｙ１の上流側において原稿Ｇの搬送タイミングを検出してから読取開始時間Ｔａ経過後に原稿画像の読み取りを開始し、調整用シートＰの搬送タイミングを検出してから、原稿読取部２００ａ，２００ｂにて調整用シートＰにおける第１マークＱ１の先端Ｐ’とみなす位置を読み取るまでの読取タイミング調整用時間Ｔ１ａに基づき読取開始時間Ｔａを調整し、予め記憶しておいた先端読取誤差補正用情報Ｔ２ａに基づき原稿Ｇの読取開始タイミングを補正する。【選択図】図５
2010193176.tif 000002
【特許請求の範囲】
【請求項１】
原稿搬送部にて所定の搬送方向に所定の搬送速度で搬送されつつ原稿読取部における光源にて光照射される原稿の画像光を前記原稿読取部にて所定の原稿読取位置で読み取る読取手段であって、前記原稿読取位置よりも前記搬送方向の上流側において原稿の搬送タイミングを検出してから、予め設定された読取開始時間経過後に原稿画像の読み取りを開始する読取手段と、
少なくとも前記搬送方向の下流側端に形成された第１マークを有する調整用シートにおける前記第１マークによって前記読取開始時間を調整する読取タイミング調整手段であって、前記原稿読取位置よりも前記搬送方向の上流側において前記原稿搬送部にて搬送される前記調整用シートの搬送タイミングを検出してから、前記原稿読取部にて前記調整用シートにおける前記第１マークの前記搬送方向の下流側端とみなす位置を読み取るまでの読取タイミング調整用時間に基づき前記読取開始時間を調整する読取タイミング調整手段と
を備え、
予め記憶しておいた下流側端読取誤差補正用情報に基づき原稿の読取開始タイミングを補正することを特徴とする画像読取装置。
【請求項２】
請求項１に記載の画像読取装置において、
前記光源は、前記原稿読取位置を基準にして前記搬送方向の上流側及び下流側のうち少なくとも上流側から光を出射し、
前記予め記憶しておく下流側端読取誤差補正用情報は、前記光源からの光による前記調整用シートの前記搬送方向の下流側端における影の前記搬送方向の幅を前記搬送速度で割った下流側端読取誤差補正用時間であることを特徴とする画像読取装置。
【請求項３】
請求項１又は２に記載の画像読取装置において、
前記下流側端読取誤差補正用情報は、下流側端読取誤差補正用時間であり、
前記読取タイミング調整手段は、前記読取タイミング調整用時間に前記下流側端読取誤差補正用時間を加算した読取タイミング補正調整用時間に基づき前記読取開始時間を調整することを特徴とする画像読取装置。
【請求項４】
請求項１から３の何れか一つに記載の画像読取装置において、
前記調整用シートは、少なくとも前記搬送方向の上流側端に形成された第２マークをさらに有していることを特徴とする画像読取装置。
【請求項５】
請求項４に記載の画像読取装置において、
前記調整用シートにおける前記第１マーク及び前記第２マークによって予め設定された前記搬送方向の読取倍率を調整する読取倍率調整手段であって、前記原稿読取部にて前記調整用シートにおける前記第１マークの前記搬送方向の下流側端とみなす位置を読み取ってから、前記原稿読取部にて前記調整用シートにおける前記第２マークの前記搬送方向の上流側端とみなす位置を読み取るまでの読取倍率調整用時間に基づき前記読取倍率を調整する読取倍率調整手段をさらに備え、
前記下流側端読取誤差補正用情報に基づき前記読取倍率を補正することを特徴とする画像読取装置。
【請求項６】
請求項５に記載の画像読取装置において、
前記下流側端読取誤差補正用情報は、下流側端読取誤差補正用時間であり、
前記読取倍率調整手段は、前記読取倍率調整用時間から前記下流側端読取誤差補正用時間を差し引いた読取倍率補正調整用時間に基づき前記読取倍率を調整することを特徴とする画像読取装置。
【請求項７】
請求項１から６の何れか一つに記載の画像読取装置において、
前記調整用シートには、前記第１マークが前記搬送方向とは直交する方向に沿って１又は２以上形成されていることを特徴とする画像読取装置。
【請求項８】
請求項７に記載の画像読取装置において、
前記読取タイミング調整手段は、前記調整用シートの搬送タイミングを検出してから、前記原稿読取部にて前記調整用シートにおける前記第１マークに対応する２箇所以上の下流側端とみなす位置を読み取るまでの各々の時間を平均した時間を前記読取タイミング調整用時間とすることを特徴とする画像読取装置。
【請求項９】
原稿搬送部にて所定の搬送方向に所定の搬送速度で搬送されつつ原稿読取部における光源にて光照射される原稿の画像光を前記原稿読取部にて所定の原稿読取位置で読み取る読取手段と、
少なくとも前記搬送方向の下流側端に形成された第１マークと、少なくとも前記搬送方向の上流側端に形成された第２マークとを有する調整用シートにおける前記第１マーク及び前記第２マークによって予め設定された前記搬送方向の読取倍率を調整する読取倍率調整手段であって、前記原稿読取部にて前記調整用シートにおける前記第１マークの前記搬送方向の下流側端とみなす位置を読み取ってから、前記原稿読取部にて前記調整用シートにおける前記第２マークの前記搬送方向の上流側端とみなす位置を読み取るまでの読取倍率調整用時間に基づき前記読取倍率を調整する読取倍率調整手段と
を備え、
予め記憶しておいた上流側端読取誤差補正用情報に基づき前記読取倍率を補正することを特徴とする画像読取装置。
【請求項１０】
請求項９に記載の画像読取装置において、
前記光源は、前記原稿読取位置を基準にして前記搬送方向の上流側及び下流側のうち少なくとも下流側から光を出射し、
前記予め記憶しておく上流側端読取誤差補正用情報は、前記光源からの光による前記調整用シートの前記搬送方向の上流側端における影の前記搬送方向の幅を前記搬送速度で割った上流側端読取誤差補正用時間であることを特徴とする画像読取装置。
【請求項１１】
請求項９又は１０に記載の画像読取装置において、
前記上流側端読取誤差補正用情報は、上流側端読取誤差補正用時間であり、
前記読取倍率調整手段は、前記読取倍率調整用時間から前記上流側端読取誤差補正用時間を差し引いた読取倍率補正調整用時間に基づき前記読取倍率を調整することを特徴とする画像読取装置。
【請求項１２】
請求項１から１１の何れか一つに記載の画像読取装置において、
原稿搬送路を間にして前記原稿読取位置の読取側とは反対側には、少なくとも光照射面が白色又は中間調の濃度とされた読取部材であって、非原稿搬送時に前記原稿読取部によって読み取られる読取部材が設けられており、
前記調整用シートに形成される前記第１マーク及び前記第２マークの濃度は、前記原稿読取部にて読み取るときに、前記読取部材の光照射面の濃度との違いを認識可能な濃度であって、前記読取部材の光照射面の濃度よりも高い黒色又は中間調の濃度であることを特徴とする画像読取装置。
【請求項１３】
請求項１から１２の何れか一つに記載の画像読取装置において、
前記調整用シートは、当該画像読取装置を備えた画像形成装置が印刷したシートであることを特徴とする画像読取装置。
【請求項１４】
請求項１から１３の何れか一つに記載の画像読取装置において、
前記原稿読取部は、密着型イメージセンサを含むことを特徴とする画像読取装置。
【請求項１５】
請求項１から１４の何れか一つに記載の画像読取装置において、
前記原稿読取部は、原稿搬送路を間にして両側に設けられていることを特徴とする画像読取装置。
【請求項１６】
請求項１から１５の何れか一つに記載の画像読取装置を備えたことを特徴とする画像形成装置。
【請求項１７】
原稿搬送部にて所定の搬送方向に所定の搬送速度で搬送されつつ原稿読取部における光源にて光照射される原稿の画像光を前記原稿読取部にて所定の原稿読取位置で読み取る読取手段であって、前記原稿読取位置よりも前記搬送方向の上流側において原稿の搬送タイミングを検出してから、予め設定された読取開始時間経過後に原稿画像の読み取りを開始する読取手段と、
少なくとも前記搬送方向の下流側端に形成された第１マークを有する調整用シートにおける前記第１マークによって前記読取開始時間を調整する読取タイミング調整手段であって、前記原稿読取位置よりも前記搬送方向の上流側において前記原稿搬送部にて搬送される前記調整用シートの搬送タイミングを検出してから、前記原稿読取部にて前記調整用シートにおける前記第１マークの前記搬送方向の下流側端とみなす位置を読み取るまでの読取タイミング調整用時間に基づき前記読取開始時間を調整する読取タイミング調整手段と
を備えた画像読取装置からの画像情報から記録シートに印刷画像を印刷する画像形成装置であって、
予め記憶しておいた下流側端読取誤差補正用情報に基づき前記印刷画像の前記搬送方向の画像位置を補正することを特徴とする画像形成装置。
【請求項１８】
請求項１７に記載の画像形成装置において、
前記調整用シートは、少なくとも前記搬送方向の上流側端に形成された第２マークをさらに有しており、
前記画像読取装置は、前記調整用シートにおける前記第１マーク及び前記第２マークによって予め設定された前記搬送方向の読取倍率を調整する読取倍率調整手段であって、前記原稿読取部にて前記調整用シートにおける前記第１マークの前記搬送方向の下流側端とみなす位置を読み取ってから、前記原稿読取部にて前記調整用シートにおける前記第２マークの前記搬送方向の上流側端とみなす位置を読み取るまでの読取倍率調整用時間に基づき前記読取倍率を調整する読取倍率調整手段をさらに備え、
当該画像形成装置は、前記下流側端読取誤差補正用情報に基づき前記印刷画像の前記搬送方向の倍率を補正することを特徴とする画像形成装置。
【請求項１９】
原稿搬送部にて所定の搬送方向に所定の搬送速度で搬送されつつ原稿読取部における光源にて光照射される原稿の画像光を前記原稿読取部にて所定の原稿読取位置で読み取る読取手段と、
少なくとも前記搬送方向の下流側端に形成された第１マークと、少なくとも前記搬送方向の上流側端に形成された第２マークとを有する調整用シートにおける前記第１マーク及び前記第２マークによって予め設定された前記搬送方向の読取倍率を調整する読取倍率調整手段であって、前記原稿読取部にて前記調整用シートにおける前記第１マークの前記搬送方向の下流側端とみなす位置を読み取ってから、前記原稿読取部にて前記調整用シートにおける前記第２マークの前記搬送方向の上流側端とみなす位置を読み取るまでの読取倍率調整用時間に基づき前記読取倍率を調整する読取倍率調整手段と
を備えた画像読取装置からの画像情報から記録シートに印刷画像を印刷する画像形成装置であって、
予め記憶しておいた上流側端読取誤差補正用情報に基づき前記印刷画像の前記搬送方向の倍率を補正することを特徴とする画像形成装置。
【請求項２０】
原稿搬送部にて所定の搬送方向に所定の搬送速度で搬送されつつ原稿読取部における光源にて光照射される原稿の画像光を前記原稿読取部にて所定の原稿読取位置で読み取る読取手段であって、前記原稿読取位置よりも前記搬送方向の上流側において原稿の搬送タイミングを検出してから、予め設定された読取開始時間経過後に原稿画像の読み取りを開始する読取手段と、
少なくとも前記搬送方向の下流側端に形成された第１マークを有する調整用シートにおける前記第１マークによって前記読取開始時間を調整する読取タイミング調整手段であって、前記原稿読取位置よりも前記搬送方向の上流側において前記原稿搬送部にて搬送される前記調整用シートの搬送タイミングを検出してから、前記原稿読取部にて前記調整用シートにおける前記第１マークの前記搬送方向の下流側端とみなす位置を読み取るまでの読取タイミング調整用時間に基づき前記読取開始時間を調整する読取タイミング調整手段と
を備えた画像読取装置からの画像情報から所定の画像データを作成する画像処理装置であって、
予め記憶しておいた下流側端読取誤差補正用情報に基づき前記画像データの前記搬送方向の画像位置を補正することを特徴とする画像処理装置。
【請求項２１】
請求項２０に記載の画像処理装置において、
前記調整用シートは、少なくとも前記搬送方向の上流側端に形成された第２マークをさらに有しており、
前記画像読取装置は、前記調整用シートにおける前記第１マーク及び前記第２マークによって予め設定された前記搬送方向の読取倍率を調整する読取倍率調整手段であって、前記原稿読取部にて前記調整用シートにおける前記第１マークの前記搬送方向の下流側端とみなす位置を読み取ってから、前記原稿読取部にて前記調整用シートにおける前記第２マークの前記搬送方向の上流側端とみなす位置を読み取るまでの読取倍率調整用時間に基づき前記読取倍率を調整する読取倍率調整手段をさらに備え、
当該画像処理装置は、前記下流側端読取誤差補正用情報に基づき前記画像データの前記搬送方向の倍率を補正することを特徴とする画像処理装置。
【請求項２２】
原稿搬送部にて所定の搬送方向に所定の搬送速度で搬送されつつ原稿読取部における光源にて光照射される原稿の画像光を前記原稿読取部にて所定の原稿読取位置で読み取る読取手段と、
少なくとも前記搬送方向の下流側端に形成された第１マークと、少なくとも前記搬送方向の上流側端に形成された第２マークとを有する調整用シートにおける前記第１マーク及び前記第２マークによって予め設定された前記搬送方向の読取倍率を調整する読取倍率調整手段であって、前記原稿読取部にて前記調整用シートにおける前記第１マークの前記搬送方向の下流側端とみなす位置を読み取ってから、前記原稿読取部にて前記調整用シートにおける前記第２マークの前記搬送方向の上流側端とみなす位置を読み取るまでの読取倍率調整用時間に基づき前記読取倍率を調整する読取倍率調整手段と
を備えた画像読取装置からの画像情報から所定の画像データを作成する画像処理装置であって、
予め記憶しておいた上流側端読取誤差補正用情報に基づき前記画像データの前記搬送方向の倍率を補正することを特徴とする画像処理装置。
【発明の詳細な説明】
【技術分野】
【０００１】
本発明は、原稿移動方式の画像読取装置及び画像形成装置並びに画像処理装置に関する。
【背景技術】
【０００２】
複写機、ファクシミリ装置及びデジタル複合機等の画像形成装置に備えられる画像読取装置や、ネットワーク等の通信手段を介してコンピュータ等の画像処理装置に接続される画像読取装置は、例えば、原稿画像を読み取る原稿読取部から出力された画像情報に基づき印刷画像を画像形成部へ転送する場合や、ネットワークに接続されたコンピュータ（例えばパーソナルコンピュータ）等の画像処理装置へ送信する場合などの画像読取手段として使用される。この画像処理装置では、例えば、画像読取装置からの画像情報に基づきＰＤＦ（Portable Document Format）データ等の所定の画像データを作成することもある。
【０００３】
従来の画像読取装置として、原稿搬送部にて所定の搬送方向に所定の搬送速度で搬送されつつ原稿読取部におけるランプ等の光源にて光照射される原稿の画像光を原稿読取部にて所定の原稿読取位置で読み取る原稿移動方式の画像読取装置が多く利用されている。
【０００４】
この原稿移動方式の画像読取装置では、通常、原稿読取位置よりも搬送方向の上流側において原稿の搬送タイミングを検出（例えば原稿検出センサ等の原稿検出部にて原稿の搬送方向の下流側端（先端）を検出）してから、予め設定された読取開始時間経過後に原稿画像の読み取りを開始するようになっている。この読取開始時間は、例えば、原稿検出部による搬送タイミングの検出位置から原稿読取部による原稿読取位置まで原稿が搬送される時間とすることができる。
【０００５】
このような画像読取装置では、原稿検出部や原稿読取部が工場にて組み付けられる際に、或いは、サービスマン等の作業者により原稿検出部や原稿読取部を調整や交換した際に原稿検出部や原稿読取部の取り付け位置のばらつきや、部品のばらつき等により、原稿検出部による搬送タイミングの検出位置から原稿読取部による原稿読取位置までの搬送距離が各画像読取装置間でばらつくことがあるため、通常は、工場出荷時やサービスマン等の作業者による部品調整や部品交換時に読取開始時間がそのばらつきに応じて調整される。
【０００６】
この読取開始時間の調整は、例えば、調整すべき画像読取装置に対して調整用シートを実際に搬送させることによって行われる（特許文献１参照）。
【０００７】
詳しくは、読取開始時間は、例えば、原稿読取位置よりも搬送方向の上流側において原稿搬送部にて搬送される調整用シートの先端を原稿検出部にて検出してから、原稿読取部にて調整用シートの先端とみなす位置を読み取るまでの読取タイミング調整用時間になるように調整される。
【０００８】
また、原稿移動方式の画像読取装置では、原稿搬送部を構成する搬送系部品が工場にて組み付けられる際に、或いは、サービスマン等の作業者により搬送系部品を調整や交換した際に搬送系部品の取り付け位置のばらつきや、部品のばらつき等により、搬送方向の読取倍率（例えば搬送速度）が本来の読取倍率とは異なることがあるため、通常は、工場出荷時やサービスマン等の作業者による部品調整や部品交換時に読取倍率が調整される。
【０００９】
この読取倍率は、例えば、原稿読取部にて調整用シートの先端とみなす位置を読み取ってから、原稿読取部にて調整用シートの搬送方向の上流側端（後端）とみなす位置を読み取るまでの読取倍率調整用時間が調整用シートの予め設定した基準搬送時間になるように調整される。
【先行技術文献】
【特許文献】
【００１０】
【特許文献１】特開平３−１５８０６６号公報
【発明の概要】
【００１１】
しかしながら、このような原稿移動方式の画像読取装置においては、原稿読取部にて調整用シートの先端を読み取るときに実際の先端位置よりも先に（早く）読み取ったり、或いは、原稿読取部にて調整用シートの後端を読み取るときに実際の後端位置よりも遅れて（後で）読み取ったりするといった読取誤差が発生することがある。これについて、図８を参照しながら以下に説明する。
【００１２】
図８は、原稿移動方式の画像読取装置１００’，１００”における読取誤差を説明するための概略側面図である。図８（ａ）は、画像読取装置１００’において原稿読取位置Ｒ１を基準にして搬送方向Ｙ１の上流側に光源２１１’が配置された原稿読取部２００’におけるイメージセンサ２０５にて調整用シートＰの先端Ｐ’を読み取るときの読取誤差の一例を示している。図８（ｂ）は、画像読取装置１００”において原稿読取位置Ｒ１を基準にして搬送方向Ｙ１の下流側に光源２１１”が配置された原稿読取部２００”におけるイメージセンサ２０５にて調整用シートＰの後端Ｐ”を読み取るときの読取誤差の一例を示している。また、図９は、原稿読取位置Ｒ１を基準にして搬送方向Ｙ１の上流側及び下流側にそれぞれ光源２１１’，２１１”が配置されている状態を示している。なお、図８及び図９において符号２０１及び３１９は、それぞれ、原稿読取ガラス及び読取部材用ガラスを示している。
【００１３】
図８（ａ）に示す画像読取装置１００’では、光源２１１’は、原稿読取位置Ｒ１を基準にして搬送方向Ｙ１の上流側に配置されており、少なくとも先端Ｐ’に形成された第１マークＱ１を有する調整用シートＰにおける第１マークＱ１によって読取開始時間Ｔａを調整するようになっている。また、原稿搬送路３０３を間にして原稿読取位置Ｒ１の読取側とは反対側には、非原稿搬送時に原稿読取部２００’によって読み取られる読取部材（例えば白板）３１８が設けられている。
【００１４】
この読取部材３１８は、少なくとも表面が第１マークＱ１の濃度（一般的には黒色）よりも低い濃度（原稿読取部２００’にて読み取るときに該第１マークＱ１の濃度との違いを認識可能な濃度（一般的には白色））に形成されたものである。こうすることで、調整用シートＰの第１マークＱ１が到来していないときには読取部材３１８からの反射光が原稿読取部２００’ のイメージセンサ２０５に入射される。一方、調整用シートＰの第１マークＱ１が到来したときには読取部材３１８からの反射光よりも暗い第１マークＱ１からの反射光が原稿読取部２００’のイメージセンサ２０５に入射されるか、或いは読取部材３１８からの反射光が遮られる。これにより、画像読取装置１００’は、調整用シートＰの第１マークＱ１の先端Ｐ’とみなす位置を読み取ったときに調整用シートＰの先端Ｐ’であることを認識することができる。
【００１５】
そして、調整用シートＰによる調整にあたり、原稿読取位置Ｒ１よりも搬送方向Ｙ１の上流側において図示しない原稿搬送部にて搬送方向Ｙ１に所定の搬送速度Ｖで搬送される調整用シートＰの先端Ｐ’を原稿検出センサ３２０にて検出してから、原稿読取部２００’にて調整用シートＰにおける第１マークＱ１の先端Ｐ’とみなす位置を読み取るまでの読取タイミング調整用時間Ｔ１ａを計測する。
【００１６】
こうして計測した読取タイミング調整用時間Ｔ１ａに基づき読取開始時間Ｔａを調整する。例えば、読取開始時間Ｔａが原稿検出センサ３２０にて調整用シートＰの先端Ｐ’を検出してから、原稿読取部２００’にて調整用シートＰの先端Ｐ’を読み取るまでの時間である場合には、読取開始時間Ｔａが計測により得られた読取タイミング調整用時間Ｔ１ａになるように読取開始時間Ｔａを調整する。
【００１７】
かかる構成においては、光源２１１’が原稿読取位置Ｒ１を基準にして搬送方向Ｙ１の上流側に配置されているので、光源２１１’からの光Ｌ’が光照射面に対して斜め上流側から照射されることになり、調整用シートＰの先端Ｐ’に影Ｎａ（例えば幅０．７ｍｍ程度の影）が発生する。そうすると、調整用シートＰの先端Ｐ’の原稿読取位置Ｒ１での読み取り時に、原稿読取装置１００’は、調整用シートＰの先端Ｐ’を読んだつもりでも、実際は光源２１１’からの光Ｌ’による調整用シートＰの先端Ｐ’における影ＮａをマークＱ１と判断し、影Ｎａの先端Ｎａ’を調整用シートＰの先端Ｐ’として読み取ってしまう。
【００１８】
すなわち、調整用シートＰの先端Ｐ’を読み取るつもりでも、調整用シートＰの先端Ｐ’が原稿読取位置Ｒ１まで搬送されていないのに、先端Ｐ’よりも先に該先端Ｐ’における影Ｎａの先端Ｎａ’を読み取ってしまうという不都合がある。この場合、調整用シートＰによる調整の際に該調整用シートＰの先端Ｐ’を精度よく読み取ることができない。従って、原稿を読み取る際に正確な読取開始タイミングで原稿画像を読み取ることができない。或いは、この画像読取装置を接続した画像形成装置や画像処理装置では、この画像読取装置からの画像情報が原稿の搬送方向で正規の画像位置とはずれた画像情報となるため、当該画像形成装置において印刷画像が搬送方向に正規の画像位置とはずれた状態で記録シートに印刷されたり、当該画像処理装置において画像データが搬送方向に正規の画像位置とはずれた状態で作成されたりする。
【００１９】
なお、この不都合は、図９に示すように、原稿読取位置Ｒ１を基準にして搬送方向Ｙ１の上流側及び下流側の双方にそれぞれ光源２１１’，２１１”が配置されていても、上流側の光源２１１’からの光Ｌ’の光量が下流側の光源２１１”からの光Ｌ”の光量よりも大きい場合に起こり得る。
【００２０】
また、図８（ｂ）に示す画像読取装置１００”では、光源２１１”は、原稿読取位置Ｒ１を基準にして搬送方向Ｙ１の下流側に配置されており、少なくとも先端Ｐ’に形成された第１マークＱ１と、少なくとも後端Ｐ”に形成された第２マークＱ２とを有する調整用シートＰにおける第１マークＱ１及び第２マークＱ２によって搬送方向Ｙ１の読取倍率を調整するようになっている。
【００２１】
第２マークＱ２の濃度は、前記した第１マークＱ１と同程度とされている。従って、調整用シートＰの第２マークＱ２が到来していないときには読取部材３１８からの反射光が原稿読取部２００”のイメージセンサ２０５に入射される。一方、調整用シートＰの第２マークＱ２が到来したときには読取部材３１８からの反射光よりも暗い第２マークＱ２からの反射光が原稿読取部２００”のイメージセンサ２０５に入射されるか、或いは読取部材３１８からの反射光が遮られる。これにより、画像読取装置１００”は、調整用シートＰの第２マークＱ２の後端Ｐ”とみなす位置を読み取ったときに調整用シートＰの後端Ｐ”であることを認識することができる。
【００２２】
そして、調整用シートＰによる調整にあたり、原稿読取部２００”にて調整用シートＰにおける第１マークＱ１の先端Ｐ’とみなす位置を読み取ってから、原稿読取部２００”にて調整用シートＰにおける第２マークＱ２の後端Ｐ”とみなす位置を読み取るまでの読取倍率調整用時間Ｔ１ｂを計測する。
【００２３】
こうして計測した読取倍率調整用時間Ｔ１ｂに基づき読取倍率を調整する。例えば、読取倍率調整用時間Ｔ１ｂが調整用シートＰの予め設定した基準搬送時間Ｔｓより短い場合には、基準搬送時間Ｔｓとの差分だけ搬送速度Ｖを遅くして読取倍率が本来の読取倍率になるように読取倍率を調整する。一方、読取倍率調整用時間Ｔ１ｂが基準搬送時間Ｔｓより長い場合には、基準搬送時間Ｔｓとの差分だけ搬送速度Ｖを速くして読取倍率が本来の読取倍率になるように読取倍率を調整する。
【００２４】
かかる構成においては、光源２１１”が原稿読取位置Ｒ１を基準にして搬送方向Ｙ１の下流側に配置されているので、光源２１１”からの光Ｌ”が光照射面に対して斜め下流側から照射されることになり、調整用シートＰの後端Ｐ”に影Ｎｂ（例えば幅０．７ｍｍ程度の影）が発生する。そうすると、調整用シートＰの後端Ｐ”の読取位置Ｒ１での読み取り時に、原稿読取装置１００”は、調整用シートＰの後端Ｐ”を読んだつもりでも、実際は光源２１１”からの光Ｌ”による調整用シートＰの後端Ｐ”における影ＮｂをマークＱ２と判断し、影Ｎｂの後端Ｎｂ”を調整用シートＰの後端Ｐ”として読み取ってしまう。
【００２５】
すなわち、調整用シートＰの後端Ｐ”を読み取るつもりでも、調整用シートＰの後端Ｐ”が既に原稿読取位置Ｒ１に搬送されているのに、後端Ｐ”を読み取ることなく、後端Ｐ”よりも遅れて該後端Ｐ”における影Ｎｂの後端Ｎｂ”を読み取ってしまうという不都合がある。この場合、調整用シートＰによる調整の際に該調整用シートＰの後端Ｐ”を精度よく読み取ることができない。従って、原稿を読み取る際に正確な読取倍率で原稿画像を読み取ることができない。或いは、この画像読取装置を接続した画像形成装置や画像処理装置では、この画像読取装置からの画像情報が原稿の搬送方向で正規の倍率とは異なった画像情報となるため、当該画像形成装置において印刷画像が搬送方向の正規の倍率とは異なった状態で記録シートに印刷されたり、当該画像処理装置において画像データが搬送方向の正規の倍率とは異なった状態で作成されたりする。
【００２６】
なお、この不都合は、図９に示すように、原稿読取位置Ｒ１を基準にして搬送方向Ｙ１の上流側及び下流側の双方にそれぞれ光源２１１’，２１１”が配置されていても、下流側の光源２１１”からの光Ｌ”の光量が上流側の光源２１１’からの光Ｌ’の光量よりも大きい場合に起こり得る。
【発明が解決しようとする課題】
【００２７】
本発明は、前記課題に鑑みてなされたものであり、調整用シートによる調整の際に該調整用シートの搬送方向の下流側端（先端）を精度よく読み取ることができ、これにより、原稿を読み取る際に正確な読取開始タイミングで原稿画像を読み取ることが可能な画像読取装置及び画像形成装置を提供することを一の課題とする。
【００２８】
また、本発明は、調整用シートによる調整の際に該調整用シートの搬送方向の上流側端（後端）を精度よく読み取ることができ、これにより、原稿を読み取る際に正確な読取倍率で原稿画像を読み取ることが可能な画像読取装置及び画像形成装置を提供することを他の課題とする。
【００２９】
また、本発明は、原稿読取装置を備えた画像形成装置であって、前記原稿読取装置にて調整用シートの搬送方向の下流側端を読み取るときに実際の下流側端位置よりも先に読み取っても、印刷画像を搬送方向の正規の画像位置で記録シートに印刷することが可能な画像形成装置を提供することをさらに他の課題とする。
【００３０】
また、本発明は、原稿読取装置を備えた画像形成装置であって、前記原稿読取装置にて調整用シートの搬送方向の上流側端を読み取るときに実際の上流側端位置よりも遅れて読み取っても、印刷画像を搬送方向の正規の倍率で記録シートに印刷することが可能な画像形成装置を提供することをさらに他の課題とする。
【００３１】
また、本発明は、原稿読取装置を接続した画像処理装置であって、前記原稿読取装置にて調整用シートの搬送方向の下流側端を読み取るときに実際の下流側端位置よりも先に読み取っても、画像データを搬送方向の正規の画像位置で作成することが可能な画像処理装置を提供することをさらに他の課題とする。
【００３２】
また、本発明は、原稿読取装置を接続した画像処理装置であって、前記原稿読取装置にて調整用シートの搬送方向の上流側端を読み取るときに実際の上流側端位置よりも遅れて読み取っても、画像データを搬送方向の正規の倍率で作成することが可能な画像処理装置を提供することをさらに他の課題とする。
【課題を解決するための手段】
【００３３】
本発明は、前記課題を解決するために、次の第１態様の画像読取装置及びそれを備えた第１態様の画像形成装置を提供する。
【００３４】
（１）第１態様の画像読取装置
原稿搬送部にて所定の搬送方向に所定の搬送速度で搬送されつつ原稿読取部における光源にて光照射される原稿の画像光を前記原稿読取部にて所定の原稿読取位置で読み取る読取手段であって、前記原稿読取位置よりも前記搬送方向の上流側において原稿の搬送タイミングを検出してから、予め設定された読取開始時間経過後に原稿画像の読み取りを開始する読取手段と、少なくとも前記搬送方向の下流側端（先端）に形成された第１マークを有する調整用シートにおける前記第１マークによって前記読取開始時間を調整する読取タイミング調整手段であって、前記原稿読取位置よりも前記搬送方向の上流側において前記原稿搬送部にて搬送される前記調整用シートの搬送タイミングを検出してから、前記原稿読取部にて前記調整用シートにおける前記第１マークの前記搬送方向の下流側端とみなす位置を読み取るまでの読取タイミング調整用時間に基づき前記読取開始時間を調整する読取タイミング調整手段とを備え、予め記憶しておいた下流側端読取誤差補正用情報に基づき原稿の読取開始タイミングを補正することを特徴とする画像読取装置。
【００３５】
（２）第１態様の画像形成装置
前記第１態様の画像読取装置を備えたことを特徴とする画像形成装置。
【００３６】
本発明に係る第１態様の画像読取装置及びそれを備えた画像形成装置によれば、前記下流側端読取誤差補正用情報（例えば前記下流側端での読取誤差に対応する時間や距離）を予め記憶しておくので、前記原稿読取部にて前記調整用シートの前記搬送方向の下流側端を読み取るときに実際の前記下流側端位置よりも先に読み取っても、前記予め記憶しておいた下流側端読取誤差補正用情報に基づき原稿の読取開始タイミングを補正することで、原稿を読み取る際に正確な読取開始タイミングで原稿画像を読み取ることができる。
【００３７】
本発明に係る第１態様の画像読取装置及びそれを備えた画像形成装置において、前記光源は、前記原稿読取位置を基準にして前記搬送方向の上流側及び下流側のうち少なくとも上流側から光を出射する場合に、特に有効である。かかる態様としては、前記光源が前記原稿読取位置を基準にして前記搬送方向の上流側のみから光を出射する態様、及び、前記光源が前記原稿読取位置を基準にして前記搬送方向の上流側及び下流側の双方から光を出射する態様であって、前記上流側の光量が前記下流側の光量よりも大きい態様を例示できる。
【００３８】
この場合、前記予め記憶しておく下流側端読取誤差補正用情報は、前記光源からの光による前記調整用シートの前記搬送方向の下流側端における影の前記搬送方向の幅を前記搬送速度で割った下流側端読取誤差補正用時間とすることができる。
【００３９】
本発明に係る第１態様の画像読取装置及びそれを備えた画像形成装置において、前記下流側端読取誤差補正用情報が下流側端読取誤差補正用時間である場合、前記読取タイミング調整手段として、例えば、前記読取タイミング調整用時間に前記下流側端読取誤差補正用時間を加算した読取タイミング補正調整用時間に基づき前記読取開始時間を調整する態様を例示できる。
【００４０】
この特定事項では、前記読取タイミング調整用時間に前記下流側端読取誤差補正用時間を加算するといった比較的簡単な制御構成によって前記読取開始タイミングを補正することができる。
【００４１】
この場合、例えば、前記読取開始時間が前記調整用シートにおける前記第１マークの前記搬送方向の下流側端を検出してから、前記原稿読取部にて前記調整用シートにおける前記第１マークの前記搬送方向の下流側端とみなす位置を読み取るまでの時間である場合には、前記読取開始時間を前記読取タイミング補正調整用時間とすることで、前記読取開始時間を精度良く調整することができる。
【００４２】
本発明に係る第１態様の画像読取装置及びそれを備えた画像形成装置において、前記調整用シートは、少なくとも前記搬送方向の上流側端（後端）に形成された第２マークをさらに有していてもよい。
【００４３】
この特定事項では、後述する本発明に係る第２態様の画像読取装置と同様、読取倍率調整手段を備えることができる。
【００４４】
すなわち、本発明に係る第１態様の画像読取装置及びそれを備えた画像形成装置において、前記調整用シートにおける前記第１マーク及び前記第２マークによって予め設定された前記搬送方向の読取倍率を調整する読取倍率調整手段であって、前記原稿読取部にて前記調整用シートにおける前記第１マークの前記搬送方向の下流側端とみなす位置を読み取ってから、前記原稿読取部にて前記調整用シートにおける前記第２マークの前記搬送方向の上流側端とみなす位置を読み取るまでの読取倍率調整用時間に基づき前記読取倍率を調整する読取倍率調整手段をさらに備えることができる。この場合、前記下流側端読取誤差補正用情報に基づき前記読取倍率を補正することができる。
【００４５】
この特定事項では、前記原稿読取部にて前記調整用シートの前記搬送方向の下流側端を読み取るときに実際の前記下流側端位置よりも先に読み取っても、前記下流側端読取誤差補正用情報に基づき前記読取倍率を補正することで、前記読取倍率を適正なものに調整でき、これにより、原稿を読み取る際に正確な読取倍率で原稿画像を読み取ることができる。
【００４６】
本発明に係る第１態様の画像読取装置及びそれを備えた画像形成装置において、前記下流側端読取誤差補正用情報が下流側端読取誤差補正用時間である場合、前記読取倍率調整手段は、前記読取倍率調整用時間から前記下流側端読取誤差補正用時間を差し引いた読取倍率補正調整用時間に基づき前記読取倍率を調整する態様を例示できる。
【００４７】
この特定事項では、前記読取倍率調整用時間から前記下流側端読取誤差補正用時間を差し引くといった比較的簡単な制御構成によって前記読取倍率を補正することができる。
【００４８】
本発明に係る第１態様の画像読取装置及び画像形成装置において、前記調整用シートには、前記第１マークが前記搬送方向とは直交する方向に沿って１又は２以上形成されていることが好ましい。
【００４９】
この特定事項では、前記調整用シートが斜め送りされた場合であっても、前記原稿読取部による前記第１マークの各読み取りタイミングのばらつきを均一化することができる。
【００５０】
例えば、前記読取タイミング調整手段は、前記調整用シートの搬送タイミングを検出してから、前記原稿読取部にて前記調整用シートにおける前記第１マークに対応する２箇所以上の下流側端とみなす位置を読み取るまでの各々の時間を平均した時間を前記読取タイミング調整用時間とすることができる。
【００５１】
また、本発明は、前記課題を解決するために、次の第２態様の画像読取装置及びそれを備えた第２態様の画像形成装置を提供する。
【００５２】
（３）第２態様の画像読取装置
原稿搬送部にて所定の搬送方向に所定の搬送速度で搬送されつつ原稿読取部における光源にて光照射される原稿の画像光を前記原稿読取部にて所定の原稿読取位置で読み取る読取手段と、少なくとも前記搬送方向の下流側端に形成された第１マークと、少なくとも前記搬送方向の上流側端に形成された第２マークとを有する調整用シートにおける前記第１マーク及び前記第２マークによって予め設定された前記搬送方向の読取倍率を調整する読取倍率調整手段であって、前記原稿読取部にて前記調整用シートにおける前記第１マークの前記搬送方向の下流側端とみなす位置を読み取ってから、前記原稿読取部にて前記調整用シートにおける前記第２マークの前記搬送方向の上流側端とみなす位置を読み取るまでの読取倍率調整用時間に基づき前記読取倍率を調整する読取倍率調整手段とを備え、予め記憶しておいた上流側端読取誤差補正用情報に基づき前記読取倍率を補正することを特徴とする画像読取装置。
【００５３】
（４）第２態様の画像形成装置
前記第２態様の画像読取装置を備えたことを特徴とする画像形成装置。
【００５４】
本発明に係る第２態様の画像読取装置及びそれを備えた画像形成装置によれば、前記上流側端読取誤差補正用情報（例えば前記上流側端での読取誤差に対応する時間や距離）を予め記憶しておくので、前記原稿読取部にて前記調整用シートの前記搬送方向の上流側端を読み取るときに実際の前記上流側端位置よりも遅れて読み取っても、前記予め記憶しておいた上流側端読取誤差補正用情報に基づき前記読取倍率を補正することで、原稿を読み取る際に正確な読取倍率で原稿画像を読み取ることができる。
【００５５】
本発明に係る第２態様の画像読取装置及びそれを備えた画像形成装置において、前記光源は、前記原稿読取位置を基準にして前記搬送方向の上流側及び下流側のうち少なくとも下流側から光を出射する場合に、特に有効である。かかる態様としては、前記光源が前記原稿読取位置を基準にして前記搬送方向の下流側のみから光を出射する態様、及び、前記光源が前記原稿読取位置を基準にして前記搬送方向の上流側及び下流側の双方から光を出射する態様であって、前記下流側の光量が前記上流側の光量よりも大きい態様を例示できる。
【００５６】
この場合、前記予め記憶しておく上流側端読取誤差補正用情報は、前記光源からの光による前記調整用シートの前記搬送方向の上流側端における影の前記搬送方向の幅を前記搬送速度で割った上流側端読取誤差補正用時間とすることができる。
【００５７】
本発明に係る第２態様の画像読取装置及びそれを備えた画像形成装置において、前記上流側端読取誤差補正用情報が上流側端読取誤差補正用時間である場合、前記読取倍率調整手段として、例えば、前記読取倍率調整用時間から前記上流側端読取誤差補正用時間を差し引いた読取倍率補正調整用時間に基づき前記読取倍率を調整する態様を例示できる。
【００５８】
この特定事項では、前記読取倍率調整用時間から前記上流側端読取誤差補正用時間を差し引くといった比較的簡単な制御構成によって前記読取倍率を補正することができる。
【００５９】
また、本発明は、前記課題を解決するために、次の第３及び第４態様の画像形成装置を提供する。
【００６０】
（５）第３態様の画像形成装置
原稿搬送部にて所定の搬送方向に所定の搬送速度で搬送されつつ原稿読取部における光源にて光照射される原稿の画像光を前記原稿読取部にて所定の原稿読取位置で読み取る読取手段であって、前記原稿読取位置よりも前記搬送方向の上流側において原稿の搬送タイミングを検出してから、予め設定された読取開始時間経過後に原稿画像の読み取りを開始する読取手段と、少なくとも前記搬送方向の下流側端に形成された第１マークを有する調整用シートにおける前記第１マークによって前記読取開始時間を調整する読取タイミング調整手段であって、前記原稿読取位置よりも前記搬送方向の上流側において前記原稿搬送部にて搬送される前記調整用シートの搬送タイミングを検出してから、前記原稿読取部にて前記調整用シートにおける前記第１マークの前記搬送方向の下流側端とみなす位置を読み取るまでの読取タイミング調整用時間に基づき前記読取開始時間を調整する読取タイミング調整手段とを備えた画像読取装置からの画像情報から記録シートに印刷画像を印刷する画像形成装置であって、予め記憶しておいた下流側端読取誤差補正用情報に基づき前記印刷画像の前記搬送方向の画像位置を補正することを特徴とする画像形成装置。
【００６１】
本発明に係る第３態様の画像形成装置によれば、前記下流側端読取誤差補正用情報（例えば前記下流側端での読取誤差に対応する時間や距離）を予め記憶しておくので、前記原稿読取部にて前記調整用シートの前記搬送方向の下流側端を読み取るときに実際の前記下流側端位置よりも先に読み取っても、前記予め記憶しておいた下流側端読取誤差補正用情報に基づき前記印刷画像の前記搬送方向の画像位置を補正することで、該印刷画像を前記搬送方向の正規の画像位置で記録シートに印刷することができる。
【００６２】
本発明に係る第３態様の画像形成装置において、前記調整用シートは、少なくとも前記搬送方向の上流側端に形成された第２マークをさらに有しており、前記画像読取装置が、前記調整用シートにおける前記第１マーク及び前記第２マークによって予め設定された前記搬送方向の読取倍率を調整する読取倍率調整手段であって、前記原稿読取部にて前記調整用シートにおける前記第１マークの前記搬送方向の下流側端とみなす位置を読み取ってから、前記原稿読取部にて前記調整用シートにおける前記第２マークの前記搬送方向の上流側端とみなす位置を読み取るまでの読取倍率調整用時間に基づき前記読取倍率を調整する読取倍率調整手段をさらに備えている場合には、当該画像形成装置は、前記下流側端読取誤差補正用情報に基づき前記印刷画像の前記搬送方向の倍率を補正することができる。
【００６３】
この特定事項では、前記原稿読取部にて前記調整用シートの前記搬送方向の下流側端を読み取るときに実際の前記下流側端位置よりも先に読み取っても、前記予め記憶しておいた下流側端読取誤差補正用情報に基づき前記印刷画像の前記搬送方向の倍率を補正することで、該印刷画像を前記搬送方向の正規の倍率で記録シートに印刷することができる。
【００６４】
（６）第４態様の画像形成装置
原稿搬送部にて所定の搬送方向に所定の搬送速度で搬送されつつ原稿読取部における光源にて光照射される原稿の画像光を前記原稿読取部にて所定の原稿読取位置で読み取る読取手段と、少なくとも前記搬送方向の下流側端に形成された第１マークと、少なくとも前記搬送方向の上流側端に形成された第２マークとを有する調整用シートにおける前記第１マーク及び前記第２マークによって予め設定された前記搬送方向の読取倍率を調整する読取倍率調整手段であって、前記原稿読取部にて前記調整用シートにおける前記第１マークの前記搬送方向の下流側端とみなす位置を読み取ってから、前記原稿読取部にて前記調整用シートにおける前記第２マークの前記搬送方向の上流側端とみなす位置を読み取るまでの読取倍率調整用時間に基づき前記読取倍率を調整する読取倍率調整手段とを備えた画像読取装置からの画像情報から記録シートに印刷画像を印刷する画像形成装置であって、予め記憶しておいた上流側端読取誤差補正用情報に基づき前記印刷画像の前記搬送方向の倍率を補正することを特徴とする画像形成装置。
【００６５】
本発明に係る第４態様の画像形成装置によれば、前記上流側端読取誤差補正用情報（例えば前記上流側端での読取誤差に対応する時間や距離）を予め記憶しておくので、前記原稿読取部にて前記調整用シートの前記搬送方向の上流側端を読み取るときに実際の前記上流側端位置よりも遅れて読み取っても、前記予め記憶しておいた上流側端読取誤差補正用情報に基づき前記印刷画像の前記搬送方向の倍率を補正することで、該印刷画像を前記搬送方向の正規の倍率で記録シートに印刷することができる。
【００６６】
また、本発明は、前記課題を解決するために、次の第１及び第２態様の画像処理装置を提供する。
【００６７】
（７）第１態様の画像処理装置
原稿搬送部にて所定の搬送方向に所定の搬送速度で搬送されつつ原稿読取部における光源にて光照射される原稿の画像光を前記原稿読取部にて所定の原稿読取位置で読み取る読取手段であって、前記原稿読取位置よりも前記搬送方向の上流側において原稿の搬送タイミングを検出してから、予め設定された読取開始時間経過後に原稿画像の読み取りを開始する読取手段と、少なくとも前記搬送方向の下流側端に形成された第１マークを有する調整用シートにおける前記第１マークによって前記読取開始時間を調整する読取タイミング調整手段であって、前記原稿読取位置よりも前記搬送方向の上流側において前記原稿搬送部にて搬送される前記調整用シートの搬送タイミングを検出してから、前記原稿読取部にて前記調整用シートにおける前記第１マークの前記搬送方向の下流側端とみなす位置を読み取るまでの読取タイミング調整用時間に基づき前記読取開始時間を調整する読取タイミング調整手段とを備えた画像読取装置からの画像情報から所定の画像データを作成する画像処理装置であって、予め記憶しておいた下流側端読取誤差補正用情報に基づき前記画像データの前記搬送方向の画像位置を補正することを特徴とする画像処理装置。
【００６８】
本発明に係る第１態様の画像処理装置によれば、前記下流側端読取誤差補正用情報（例えば前記下流側端での読取誤差に対応する時間や距離）を予め記憶しておくので、前記原稿読取部にて前記調整用シートの前記搬送方向の下流側端を読み取るときに実際の前記下流側端位置よりも先に読み取っても、前記予め記憶しておいた下流側端読取誤差補正用情報に基づき前記画像データの前記搬送方向の画像位置を補正することで、該画像データを前記搬送方向の正規の画像位置で作成することができる。
【００６９】
本発明に係る第１態様の画像処理装置において、前記調整用シートは、少なくとも前記搬送方向の上流側端に形成された第２マークをさらに有しており、前記画像読取装置が、前記調整用シートにおける前記第１マーク及び前記第２マークによって予め設定された前記搬送方向の読取倍率を調整する読取倍率調整手段であって、前記原稿読取部にて前記調整用シートにおける前記第１マークの前記搬送方向の下流側端とみなす位置を読み取ってから、前記原稿読取部にて前記調整用シートにおける前記第２マークの前記搬送方向の上流側端とみなす位置を読み取るまでの読取倍率調整用時間に基づき前記読取倍率を調整する読取倍率調整手段をさらに備えている場合には、当該画像処理装置は、前記下流側端読取誤差補正用情報に基づき前記画像データの前記搬送方向の倍率を補正することができる。
【００７０】
この特定事項では、前記原稿読取部にて前記調整用シートの前記搬送方向の下流側端を読み取るときに実際の前記下流側端位置よりも先に読み取っても、前記予め記憶しておいた下流側端読取誤差補正用情報に基づき前記印刷画像の前記搬送方向の倍率を補正することで、該画像データを前記搬送方向の正規の倍率で作成することができる。
【００７１】
（８）第２態様の画像処理装置
原稿搬送部にて所定の搬送方向に所定の搬送速度で搬送されつつ原稿読取部における光源にて光照射される原稿の画像光を前記原稿読取部にて所定の原稿読取位置で読み取る読取手段と、少なくとも前記搬送方向の下流側端に形成された第１マークと、少なくとも前記搬送方向の上流側端に形成された第２マークとを有する調整用シートにおける前記第１マーク及び前記第２マークによって予め設定された前記搬送方向の読取倍率を調整する読取倍率調整手段であって、前記原稿読取部にて前記調整用シートにおける前記第１マークの前記搬送方向の下流側端とみなす位置を読み取ってから、前記原稿読取部にて前記調整用シートにおける前記第２マークの前記搬送方向の上流側端とみなす位置を読み取るまでの読取倍率調整用時間に基づき前記読取倍率を調整する読取倍率調整手段とを備えた画像読取装置からの画像情報から所定の画像データを作成する画像処理装置であって、予め記憶しておいた上流側端読取誤差補正用情報に基づき前記画像データの前記搬送方向の倍率を補正することを特徴とする画像処理装置。
【００７２】
本発明に係る第２態様の画像処理装置によれば、前記上流側端読取誤差補正用情報（例えば前記上流側端での読取誤差に対応する時間や距離）を予め記憶しておくので、前記原稿読取部にて前記調整用シートの前記搬送方向の上流側端を読み取るときに実際の前記上流側端位置よりも遅れて読み取っても、前記予め記憶しておいた上流側端読取誤差補正用情報に基づき前記印刷画像の前記搬送方向の倍率を補正することで、該画像データを前記搬送方向の正規の倍率で作成することができる。
【００７３】
なお、本発明において、原稿搬送路を間にして前記原稿読取位置の読取側とは反対側には、少なくとも光照射面が白色又は中間調の濃度とされた読取部材であって、非原稿搬送時に前記原稿読取部によって読み取られる読取部材が設けられている態様を例示できる。この場合、前記調整用シートに形成される前記第１マーク及び前記第２マークの濃度としては、前記原稿読取部にて読み取るときに、前記読取部材の光照射面の濃度との違いを認識可能な濃度であって、前記読取部材の光照射面の濃度よりも高い黒色又は中間調の濃度を例示できる。ここで、前記した「中間調の濃度」とは、灰色の中間調だけでなく、カラーの中間調も含む概念である。
【００７４】
本発明においては、前記調整用シートは、当該画像読取装置を備えた画像形成装置が印刷したシートであってもよい。
【００７５】
本発明においては、前記原稿読取部に設けられるイメージセンサのタイプに拘わらず、前記した作用効果を良好に得ることができる。前記原稿読取部としては、密着型イメージセンサを含むものや縮小型イメージセンサを含むものを例示できる。
【００７６】
本発明においては、表裏両面の原稿画像を読み取る場合であっても、前記した作用効果を良好に得ることができる。例えば、前記原稿読取部は、原稿搬送路を間にして両側に設けられていてもよい。
【発明の効果】
【００７７】
以上説明したように、本発明に係る第１態様の画像読取装置及びそれを備えた第１態様の画像形成装置によると、前記下流側端（先端）読取誤差補正用情報を事前に記憶しておくので、この下流側端読取誤差補正用情報を用いて前記調整用シートによる調整の際に該調整用シートの前記搬送方向の下流側端を精度よく読み取ることができ、これにより、原稿を読み取る際に正確な読取開始タイミングで原稿画像を読み取ることが可能となる。
【００７８】
また、本発明に係る第２態様の画像読取装置及びそれを備えた第２態様の画像形成装置によると、前記上流側端（後端）読取誤差補正用情報を事前に記憶しておくので、この上流側端読取誤差補正用情報を用いて前記調整用シートによる調整の際に該調整用シートの前記搬送方向の上流側端を精度よく読み取ることができ、これにより、原稿を読み取る際に正確な読取倍率で原稿画像を読み取ることが可能となる。
【００７９】
また、本発明に係る第３態様の画像形成装置によると、前記下流側端読取誤差補正用情報を事前に記憶しておくので、この下流側端読取誤差補正用情報を用いて前記原稿読取部にて前記調整用シートの前記搬送方向の前記下流側端を読み取るときに実際の前記下流側端位置よりも先に読み取っても、前記印刷画像を前記搬送方向の正規の画像位置で記録シートに印刷することが可能となる。
【００８０】
また、本発明に係る第４態様の画像形成装置によると、前記上流側端読取誤差補正用情報を事前に記憶しておくので、この上流側端読取誤差補正用情報を用いて前記原稿読取部にて前記調整用シートの前記搬送方向の前記上流側端を読み取るときに実際の前記上流側端位置よりも遅れて読み取っても、前記印刷画像を前記搬送方向の正規の倍率で記録シートに印刷することが可能となる。
【００８１】
また、本発明に係る第１態様の画像処理装置によると、前記下流側端読取誤差補正用情報を事前に記憶しておくので、この下流側端読取誤差補正用情報を用いて前記原稿読取部にて前記調整用シートの前記搬送方向の前記下流側端を読み取るときに実際の前記下流側端位置よりも先に読み取っても、前記画像データを前記搬送方向の正規の画像位置で作成することが可能となる。
【００８２】
また、本発明に係る第２態様の画像処理装置によると、前記上流側端読取誤差補正用情報を事前に記憶しておくので、この上流側端読取誤差補正用情報を用いて前記原稿読取部にて前記調整用シートの前記搬送方向の前記上流側端を読み取るときに実際の前記上流側端位置よりも遅れて読み取っても、前記画像データを前記搬送方向の正規の倍率で作成することが可能となる。
【図面の簡単な説明】
【００８３】
【図１】画像読取装置を備えた画像形成装置を概略的に示す側面図である。
【図２】図１に示す画像形成装置の制御系の概略構成を示す図であって、図（ａ）は、第１又は第２実施形態に係る画像読取装置を備えた画像形成装置における本体制御部を中心に示す制御ブロック図であり、図（ｂ）は、画像読取装置を備えた第３実施形態に係る画像形成装置における本体制御部を中心に示す制御ブロック図であり、図（ｃ）は、画像読取装置を備えた第４実施形態に係る画像形成装置における本体制御部を中心に示す制御ブロック図である。
【図３】図１に示す画像読取装置の概略縦断面図である。
【図４】図１及び図３に示す画像読取装置の制御系の概略構成を示す図であって、図（ａ）は、画像形成装置に備えられる第１実施形態に係る画像読取装置における制御部を中心に示す制御ブロック図であり、図（ｂ）は、画像形成装置に備えられる第２実施形態に係る画像読取装置における制御部を中心に示す制御ブロック図であり、図（ｃ）は、第３及び第４実施形態に係る画像形成装置に備えられる画像読取装置における制御部を中心に示す制御ブロック図である。
【図５】第１実施形態の原稿読取装置における調整用シートによる調整状態を説明するための概略側面図である。
【図６】第２実施形態の原稿読取装置における調整用シートによる調整状態を説明するための概略側面図である。
【図７】図１及び図３に示す原稿読取装置に用いることができる調整用シートを示す平面図である。
【図８】原稿移動方式の画像読取装置における読取誤差を説明するための概略側面図であって、図（ａ）は、画像読取装置において原稿読取位置を基準にして搬送方向の上流側に光源が配置された原稿読取部におけるイメージセンサにて調整用シートの先端を読み取るときの読取誤差の一例を示す図であり、図（ｂ）は、画像読取装置において原稿読取位置を基準にして搬送方向の下流側に光源が配置された原稿読取部におけるイメージセンサにて調整用シートの後端を読み取るときの読取誤差の一例を示す図である。
【図９】原稿読取位置を基準にして搬送方向の上流側及び下流側にそれぞれ光源が配置されている状態を示す概略側面図である。
【発明を実施するための形態】
【００８４】
以下、本発明に係る一実施形態について図面を参照しながら説明する。なお、以下の実施の形態は、本発明を具体化した一例であって、本発明の技術的範囲を限定する性格のものではない。
【００８５】
図１は、画像読取装置１００ａ〜１００ｄを備えた画像形成装置Ｄａ〜Ｄｃを概略的に示す側面図である。
【００８６】
図１に示す画像形成装置Ｄａ〜Ｄｃは、原稿Ｇ（後述する図３等参照）の画像を読み取る画像読取装置１００ａ〜１００ｄと、この画像読取装置１００ａ〜１００ｄにより読み取られた原稿Ｇの画像又は外部から受信した画像をカラーもしくは単色で普通紙等の記録シートに記録形成する装置本体Ｄａ’〜Ｄｃ’とを備えている。なお、画像形成装置Ｄｂ，Ｄｃは、画像読取装置１００ｃ，１００ｄからの画像情報から所定の画像データを作成する画像処理装置としての機能も有している。
【００８７】
［画像形成装置の全体構成について］
画像形成装置Ｄａ〜Ｄｃの装置本体Ｄａ’〜Ｄｃ’は、露光装置１、現像装置２（２ａ，２ｂ，２ｃ，２ｄ）、像担持体として作用する感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、転写部として作用する中間転写ローラ６（６ａ，６ｂ，６ｃ，６ｄ）を含む中間転写ベルト装置８、定着装置１２、シート搬送装置５０、給紙部として作用する給紙トレイ１０、及び排紙部として作用する排紙トレイ１５を備えている。
【００８８】
画像形成装置Ｄａ〜Ｄｃの装置本体Ｄａ’〜Ｄｃ’において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。従って、現像装置２（２ａ，２ｂ，２ｃ，２ｄ）、感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、中間転写ローラ６（６ａ，６ｂ，６ｃ，６ｄ）は各色に応じた４種類の画像を形成するようにそれぞれ４個ずつ設けられ、それぞれの末尾符号ａ〜ｄのうち、ａがブラックに、ｂがシアンに、ｃがマゼンタに、ｄがイエローに対応付けられて、４つの画像ステーションが構成されている。以下、末尾符号ａ〜ｄは省略して説明する。
【００８９】
感光体ドラム３は、装置本体Ｄａ’〜Ｄｃ’の上下方向のほぼ中央に配置されている。帯電器５は、感光体ドラム３の表面を所定の電位に均一に帯電させるための帯電手段であり、接触型であるローラ型やブラシ型の帯電器のほか、チャージャ型の帯電器が用いられる。
【００９０】
露光装置１は、ここでは、レーザダイオード及び反射ミラーを備えたレーザスキャニングユニット（ＬＳＵ）であり、帯電された感光体ドラム３表面を画像データに応じて露光して、その表面に画像データに応じた静電潜像を形成する。
【００９１】
現像装置２は、感光体ドラム３上に形成された静電潜像を（Ｋ，Ｃ，Ｍ，Ｙ）のトナーにより現像する。クリーナ装置４は、現像及び画像転写後に感光体ドラム３表面に残留したトナーを除去及び回収する。
【００９２】
感光体ドラム３の上方に配置されている中間転写ベルト装置８は、中間転写ローラ６に加えて、中間転写体として作用する中間転写ベルト７、中間転写ベルト駆動ローラ２１、従動ローラ２２、テンションローラ２３、及び中間転写ベルトクリーニング装置９を備えている。
【００９３】
中間転写ベルト駆動ローラ２１、中間転写ローラ６、従動ローラ２２、テンションローラ２３等のローラ部材は、中間転写ベルト７を張架して支持し、中間転写ベルト７を所定のシート搬送方向（図中矢印方向）に周回移動させる。
【００９４】
中間転写ローラ６は、中間転写ベルト７内側に回転可能に支持され、中間転写ベルト７を介して感光体ドラム３に圧接されている。
【００９５】
中間転写ベルト７は、各感光体ドラム３に接触するように設けられており、各感光体ドラム３表面のトナー像を中間転写ベルト７に順次重ねて転写することによって、カラーのトナー像（各色のトナー像）を形成する。この転写ベルト７は、ここでは、厚さ１００μｍ〜１５０μｍ程度のフィルムを用いて無端ベルト状に形成されている。
【００９６】
感光体ドラム３から中間転写ベルト７へのトナー像の転写は、中間転写ベルト７内側（裏面）に圧接されている中間転写ローラ６によって行われる。中間転写ローラ６には、トナー像を転写するために高電圧の転写バイアス（例えば、トナーの帯電極性（−）とは逆極性（＋）の高電圧）が印加される。中間転写ローラ６は、ここでは、直径８〜１０ｍｍの金属（例えばステンレス）軸をベースとし、その表面は、導電性の弾性材（例えばＥＰＤＭ、発泡ウレタン等）により覆われたローラである。この導電性の弾性材により、記録シートに対して均一に高電圧を印加することができる。
【００９７】
画像形成装置Ｄａ〜Ｄｃの装置本体Ｄａ’〜Ｄｃ’は、転写部として作用する転写ローラ１１ａを含む２次転写装置１１をさらに備えている。転写ローラ１１ａは、中間転写ベルト７の中間転写ベルト駆動ローラ２１とは反対側（外側）に接触している。
【００９８】
上述の様に各感光体ドラム３表面のトナー像は、中間転写ベルト７で積層され、画像データによって示されるカラーのトナー像となる。このように積層された各色のトナー像は、中間転写ベルト７と共に搬送され、２次転写装置１１によって記録シート上に転写される。
【００９９】
中間転写ベルト７と２次転写装置１１の転写ローラ１１ａとは、相互に圧接されてニップ域を形成する。また、２次転写装置１１の転写ローラ１１ａには、中間転写ベルト７上の各色のトナー像を記録シートに転写させるための電圧（例えば、トナーの帯電極性（−）とは逆極性（＋）の高電圧）が印加される。さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラや発泡性樹脂ローラ等）としている。
【０１００】
また、２次転写装置１１によって中間転写ベルト７上のトナー像が記録シート上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収する。中間転写ベルトクリーニング装置９には、例えばクリーニング部材として中間転写ベルト７に接触するクリーニングブレードが備えられており、このクリーニングブレードで残留トナーを除去及び回収することができる。従動ローラ２２は、中間転写ベルト７を内側（裏側）から支持しており、クリーニングブレードは、外部から従動ローラ２２に向けて押圧するように中間転写ベルト７に接触している。
【０１０１】
給紙トレイ１０は、記録シートを格納しておくためのトレイであり、装置本体Ｄａ’〜Ｄｃ’の画像形成部９０の下側に設けられている。また、画像形成部９０の上側に設けられている排紙トレイ１５は、印刷済みの記録シートをフェイスダウンで載置するためのトレイである。
【０１０２】
また、装置本体Ｄａ’〜Ｄｃ’には、給紙トレイ１０の記録シートを２次転写装置１１や定着装置１２を経由させて排紙トレイ１５に送るためのシート搬送装置５０が設けられている。このシート搬送装置５０は、Ｓの字形状のシート搬送路Ｓを有し、シート搬送路Ｓに沿って、ピックアップローラ１６、給紙ローラ１４ａ、分離ローラ１４ｂ、各搬送ローラ１３、レジスト前ローラ対１９、レジストローラ対１０６、定着装置１２、及び排紙ローラ１７等の搬送部材が配置されている。
【０１０３】
ピックアップローラ１６は、給紙トレイ１０のシート搬送方向下流側端部に設けられ、給紙トレイ１０から記録シートを１枚ずつシート搬送路Ｓに供給する呼び込みローラである。給紙ローラ１４ａは、分離ローラ１４ｂとの間に記録シートを通過させて１枚ずつ分離しつつシート搬送路Ｓへと搬送する。各搬送ローラ１３及びレジスト前ローラ対１９は、記録シートの搬送を促進補助するための小型のローラである。各搬送ローラ１３は、シート搬送路Ｓに沿って複数箇所に設けられている。レジスト前ローラ対１９は、レジストローラ対１０６のシート搬送方向上流側の直近に設けられており、記録シートをレジストローラ対１０６へと搬送するようになっている。
【０１０４】
定着装置１２は、トナー像が転写された記録シートを受け取り、この記録シートをヒートローラ３１及び加圧ローラ３２間に挟み込んで搬送する。
【０１０５】
ヒートローラ３１は、所定の定着温度となるように温度制御され、加圧ローラ３２と共に記録シートを熱圧着することにより、記録シートに転写されたトナー像を溶融、混合、圧接し、記録シートに対して熱定着させる機能を有している。また、定着装置１２には、ヒートローラ３１を外部から加熱するための外部加熱ベルト３３が設けられている。
【０１０６】
各色のトナー像の定着後での記録シートは、排紙ローラ１７によって排紙トレイ１５上に排出される。
【０１０７】
なお、４つの画像形成ステーションのうち少なくとも一つを用いて、モノクロ画像を形成し、モノクロ画像を中間転写ベルト装置８の中間転写ベルト７に転写することも可能である。このモノクロ画像も、カラー画像と同様に、中間転写ベルト７から記録シートに転写され、記録シート上に定着される。
【０１０８】
また、記録シートの表（オモテ）面だけではなく、両面の画像形成を行う場合は、記録シートの表面の画像を定着装置１２により定着した後に、記録シートをシート搬送路Ｓの排紙ローラ１７により搬送する途中で、排紙ローラ１７を停止させてから逆回転させ、記録シートを表裏反転経路Ｓｒに通して、記録シートの表裏を反転させてから、記録シートを再びレジストローラ対１０６へと導き、記録シートの表面と同様に、記録シートの裏面に画像を記録して定着し、記録シートを排紙トレイ１５に排出する。
【０１０９】
装置本体Ｄａ’〜Ｄｃ’は、さらに本体制御部６００ａ〜６００ｃをそれぞれ備えている。図２は、図１に示す画像形成装置Ｄａ〜Ｄｃの制御系の概略構成を示す図である。図２（ａ）は、第１又は第２実施形態に係る画像読取装置１００ａ，１００ｂを備えた画像形成装置Ｄａにおける本体制御部６００ａを中心に示す制御ブロック図を一つの図で示している。図２（ｂ）は、画像読取装置１００ｃを備えた第３実施形態に係る画像形成装置Ｄｂにおける本体制御部６００ｂを中心に示す制御ブロック図を示している。また、図２（ｃ）は、画像読取装置１００ｄを備えた第４実施形態に係る画像形成装置Ｄｃにおける本体制御部６００ｃを中心に示す制御ブロック図を示している。
【０１１０】
本体制御部６００ａは、画像読取装置１００ａ，１００ｂの第１及び第２原稿読取部２００ａ，２００ｂ並びに画像形成装置本体Ｄａ’の画像形成部９０に接続されている。本体制御部６００ｂは、画像読取装置１００ｃの第１及び第２原稿読取部２００ａ，２００ｂ並びに画像形成装置本体Ｄｂ’の画像形成部９０に接続されている。本体制御部６００ｃは、画像読取装置１００ｄの第１及び第２原稿読取部２００ａ，２００ｂ並びに画像形成装置本体Ｄｃ’の画像形成部９０に接続されている。また、制御部６００ａ〜６００ｃは、画像形成装置本体Ｄａ’〜Ｄｃ’におけるローラを駆動するモータなどのアクチュエータ、検知スイッチなどのセンサ、本体操作パネル部などに接続されている。
【０１１１】
図２に示すように、本体制御部６００ａ〜６００ｃは、ＣＰＵ等の処理部６１０と、ＲＯＭ及びＲＡＭ等のメモリを含む記憶部６２０ａ〜６２０ｃと含むマイクロコンピュータからなっている。詳しくは、この画像形成装置Ｄａ〜Ｄｃは、本体制御部６００ａ〜６００ｃの処理部６１０が記憶部６２０ａ〜６２０ｃのＲＯＭに予め格納された制御プログラムを記憶部６２０ａ〜６２０ｃのＲＡＭ上にロードして実行することにより、各種構成要素を制御するようになっている。
【０１１２】
［画像読取装置の全体構成について］
図３は、図１に示す画像読取装置１００ａ〜１００ｄの概略縦断面図である。なお、図３においては、所定の原稿読取位置Ｒ１を基準にして原稿Ｇの搬送方向Ｙ１の上流側に光源２１１’が配置されている場合を示している。
【０１１３】
図１及び図３に示す画像読取装置１００ａ〜１００ｄは、原稿移動方式により原稿Ｇを移動させて原稿画像を読み取るように構成されている。
【０１１４】
すなわち、画像読取装置１００ａ〜１００ｄは、原稿Ｇを所定の搬送方向Ｙ１に所定の搬送速度Ｖで搬送する原稿搬送部３００と、原稿搬送路３０３を間にして両側に設けられた第１及び第２原稿読取部２００ａ，２００ｂとを備えている。なお、原稿読取部は、第１及び第２原稿読取部２００ａ，２００ｂのうち何れか一方のみであってもよい。
【０１１５】
第１及び第２原稿読取部２００ａ，２００ｂは、それぞれ、光源２１１’，２１１”（光源２１１”は図６参照）と、原稿搬送部３００にて搬送される原稿Ｇを所定の原稿読取位置Ｒ１で読み取る第１及び第２イメージセンサ２０５ａ，２０５ｂとを有している。さらに、第１及び第２原稿読取部２００ａ，２００ｂは、それぞれ、第１及び第２原稿読取ガラス２０１ａ，２０１ｂを有している。
【０１１６】
詳しくは、第１及び第２原稿読取部２００ａ，２００ｂは、原稿搬送部３００で第１及び第２原稿読取ガラス２０１ａ，２０１ｂ上を通過するように副走査方向Ｙ一方側Ｙ１に搬送される原稿Ｇを、光源２１１’，２１１”にて該原稿読取ガラス２０１ａ，２０１ｂを介して照明しつつ該光源２１１’，２１１”により照明された原稿Ｇからの反射光（原稿画像光）を主走査方向Ｘ（後述する図７の矢印Ｘ方向参照）に走査して原稿画像を第１及び第２イメージセンサ２０５ａ，２０５ｂにて読み取るようになっている。
【０１１７】
光源２１１’，２１１”は、原稿搬送部３００にて搬送される原稿Ｇに光照射するものであり、第１及び第２イメージセンサ２０５ａ，２０５ｂは、原稿Ｇからの反射光を画像データとして電気信号に変換するものである。
【０１１８】
原稿搬送部３００は、原稿Ｇを搬送するために載置する原稿トレイ３０１と、この原稿トレイ３０１の下方に配置される排出トレイ３０２と、これらの間を接続する原稿搬送路３０３と、第１及び第２上流側搬送ローラ対３０４ａ，３０４ｂと、第１及び第２下流側搬送ローラ対３０５ａ，３０５ｂとを備えている。
【０１１９】
原稿搬送路３０３は、内搬送ガイド３０３ａと外搬送ガイド３０３ｂとで形成されている。第１及び第２上流側搬送ローラ対３０４ａ，３０４ｂは、原稿読取位置Ｒ１を基準にして搬送方向Ｙ１の上流側で搬送するものである。また、第１及び第２下流側搬送ローラ対３０５ａ，３０５ｂは、原稿読取位置Ｒ１を基準にして搬送方向Ｙ１の下流側で搬送するものである。そして、第１及び第２原稿読取ガラス２０１ａ，２０１ｂは、それぞれ、外搬送ガイド３０３ｂ及び内搬送ガイド３０３ａの搬送壁を画するように略水平に設けられている。
【０１２０】
原稿搬送部３００は、さらに、ピックアップローラ３０６と、原稿給紙ローラ３０７と、分離部材（ここでは分離ローラ）３０８とを備えている。
【０１２１】
ピックアップローラ３０６は、原稿トレイ３０１上に載置された原稿Ｇを該原稿トレイ３０１から搬送方向Ｙ１に沿って原稿搬送路３０３内へ送り出すものである。原稿給紙ローラ３０７は、ピックアップローラ３０６よりも搬送方向Ｙ１下流側に配置されており、ピックアップローラ３０６にて送られてきた原稿Ｇを分離部材３０８と共に挟持しつつさらに搬送方向Ｙ１下流側へ搬送するものである。分離部材３０８は、原稿給紙ローラ３０７に対峙された状態で該原稿給紙ローラ３０７との間に搬送される原稿Ｇが１枚になるように該原稿Ｇを捌く（分離する）ようになっている。
【０１２２】
かかる構成を備えた原稿搬送部３００は、原稿Ｇをピックアップローラ３０６にて原稿給紙ローラ３０７と分離部材３０８との間に搬送し、ここで原稿Ｇを捌いて分離すると共に原稿給紙ローラ３０７を回転駆動させることによって１枚ずつ搬送するようになっている。そして、原稿給紙ローラ３０７にて搬送される原稿Ｇを原稿搬送路３０３にて案内して第１上流側搬送ローラ対３０４ａに向けて１枚ずつ供給することが可能となっている。
【０１２３】
詳しくは、ピックアップローラ３０６は、原稿トレイ３０１に積載された原稿Ｇに対して、図示しないピックアップローラ駆動部にて接離可能とされている。また、ピックアップローラ３０６は、無端ベルト等を含む図示しない駆動伝達手段を介して原稿給紙ローラ３０７と同方向に回転するように該原稿給紙ローラ３０７に連結されている。ピックアップローラ３０６及び原稿給紙ローラ３０７は、原稿Ｇの読み取り要求がなされると、図示しない原稿供給駆動部にて原稿Ｇを搬送方向Ｙ１に搬送させる方向に回転駆動されるようになっている。
【０１２４】
原稿搬送路３０３は、原稿Ｇを原稿給紙ローラ３０７からレジストローラ対３０９、第１上流側搬送ローラ対３０４ａ、第１原稿読取部２００ａ及び第１下流側搬送ローラ対３０５ａを経て、さらに、第２上流側搬送ローラ対３０４ｂ、第２原稿読取部２００ｂ及び第２下流側搬送ローラ対３０５ｂへと搬送した後、排出トレイ３０２へ排出するようにループ状に形成されている。
【０１２５】
本実施の形態では、１回の原稿搬送で原稿Ｇの一方の面又は他方の面を第１原稿読取部２００ａ又は第２原稿読取部２００ｂによって読み取ることができると共に、１回の原稿搬送で原稿Ｇの一方の面及び他方の面の双方（両面）を第１及び第２原稿読取部２００ａ，２００ｂの双方によって読み取ることができるように構成されている。なお、第２原稿読取部２００ｂを除去し、第１原稿読取部２００ａにて原稿Ｇの一方の面を読み取った後、反転搬送路３１１及び反転ゲート３１２を用いて原稿Ｇを該原稿Ｇの表裏が逆転するように反転させた後、再度、第１原稿読取部２００ａにて原稿Ｇの他方の面を読み取るようにしてもよい。
【０１２６】
また、原稿給紙ローラ３０７よりも搬送方向Ｙ１の下流側かつ第１上流側搬送ローラ対３０４ａよりも搬送方向Ｙ１の上流側に配置されたレジストローラ対３０９は、停止状態において原稿給紙ローラ３０７にて搬送された原稿Ｇの搬送方向Ｙ１の下流側端部（以下、先端という）を突き合わせて整合し、搬送タイミングに合わせて回転駆動されるようになっている。
【０１２７】
また、本実施の形態では、原稿搬送路３０３には、第１原稿読取部２００ａの原稿読取位置Ｒ１を基準にして搬送方向Ｙ１の上流側で原稿Ｇを検出する第１原稿検出部３２０ａが設けられている。ここでは、第１原稿検出部３２０ａは、搬送方向Ｙ１において第１上流側搬送ローラ対３０４ａよりも下流側かつ第１原稿読取部２００ａの原稿読取位置Ｒ１よりも上流側に配置されている。
【０１２８】
また、本実施の形態では、原稿搬送路３０３には、第２原稿読取部２００ｂの原稿読取位置Ｒ１を基準にして搬送方向Ｙ１の上流側で原稿Ｇを検出する第２原稿検出部３２０ｂが設けられている。ここでは、第２原稿検出部３２０ｂは、搬送方向Ｙ１において第２上流側搬送ローラ対３０４ｂよりも下流側かつ第２原稿読取部２００ｂの原稿読取位置Ｒ１よりも上流側に配置されている。第１及び第２原稿検出部３２０ａ，３２０ｂは、ここでは、レバー式スイッチやフォトセンサ等の原稿検出センサとされている。
【０１２９】
また、本実施の形態では、第１及び第２原稿読取部２００ａ，２００ｂは、それぞれ、第１及び第２原稿読取ガラス２０１ａ，２０１ｂを間にして原稿読取位置Ｒ１の読取側とは反対側に配置された第１及び第２読取部材（ここでは白板）３１８ａ，３１８ｂをさらに備えている。この白板３１８ａ，３１８ｂは、非原稿搬送時に原稿読取部２００ａ，２００ｂによって読み取られるものである。また、本実施の形態では、第２原稿読取部２００ｂは、第２白板３１８ｂの原稿搬送側面に配置された読取部材用ガラス３１９ｂをさらに備えている。
【０１３０】
以上説明した画像読取装置１００ａ〜１００ｄでは、原稿Ｇの両面画像を読み取る指示がなされると、原稿搬送部３００によって原稿Ｇが第１原稿読取部２００ａに向けて副走査方向Ｙの一方側Ｙ１に搬送される。すなわち、原稿トレイ３０１に載置された原稿Ｇは、ピックアップローラ３０６によって取り出され、原稿給紙ローラ３０７及び分離部材３０８によって１枚ずつに分離され、原稿搬送路３０３に搬送される。原稿搬送路３０３に搬送された原稿Ｇは、レジストローラ対３０９によって、斜行防止のために先端Ｇ’が揃えられると共に、規定の搬送タイミングで送り出され、第１原稿検出センサ３２０ａで原稿Ｇの搬送タイミングが検出された後、第１上流側搬送ローラ対３０４ａによって第１原稿読取部２００ａへと搬送される。
【０１３１】
そして、第１原稿読取ガラス２０１ａ上を通過した原稿Ｇの一方の面に、光源２１１’，２１１”（光源２１１”は図６参照）からの光が該第１原稿読取ガラス２０１ａを介して照射されて該一方の面で反射される。この原稿Ｇの一方の面から反射された光は、第１イメージセンサ２０５ａに入射し、ここで原稿画像が読み取られて電気的な画像データに変換される。
【０１３２】
一方の面の読み取りが終了した原稿Ｇは、第１下流側搬送ローラ対３０５ａによって第１原稿読取ガラス２０１ａ上から引き出され、第２上流側搬送ローラ対３０４ｂによって第２原稿読取部２００ｂへと搬送される。このとき、第２原稿検出センサ３２０ｂで原稿Ｇの搬送タイミングが検出される。
【０１３３】
そして、第２原稿読取ガラス２０１ｂ上を通過した原稿Ｇの他方の面に、光源２１１’，２１１”からの光が該第２原稿読取ガラス２０１ｂを介して照射されて該他方の面で反射される。この原稿Ｇの他方の面から反射された光は、第２イメージセンサ２０５ｂに入射し、ここで原稿画像が読み取られて電気的な画像データに変換される。
【０１３４】
両面の読み取りが終了した原稿Ｇは、第２下流側搬送ローラ対３０５ｂによって第２原稿読取ガラス２０１ｂ上から引き出され、排出トレイ３０２上に排出される。
【０１３５】
なお、ここでは原稿Ｇの両面の読み取りを説明したが、原稿Ｇの一方の面のみを読み取る場合には、前記の読み取り処理の際に第２原稿読取部２００ｂの読み取り処理を停止することができ、原稿Ｇの他方の面のみを読み取る場合には、前記の読み取り処理の際に第１原稿読取部２００ａの読み取り処理を停止することができる。
【０１３６】
また、第１原稿検出部３２０ａが第２原稿検出部３２０ｂを兼ねることで、第２原稿検出部３２０ｂを除去するようにしてもよい。また、レジストローラ対３０９の回転タイミングにより前記搬送タイミングを検出することで、第１原稿検出部３２０ａ及び第２原稿検出部３２０ｂの少なくとも一方を除去するようにしてもよい。
【０１３７】
［本発明の特徴部分の説明］
図１及び図３に示す画像読取装置１００ａ〜１００ｄは、さらに、制御部５００ａ〜５００ｄを備えている。
【０１３８】
図４は、図１及び図３に示す画像読取装置１００ａ〜１００ｄの制御系の概略構成を示す図である。図４（ａ）は、画像形成装置Ｄａに備えられる第１実施形態に係る画像読取装置１００ａにおける制御部５００ａを中心に示す制御ブロック図を示している。図４（ｂ）は、画像形成装置Ｄａに備えられる第２実施形態に係る画像読取装置１００ｂにおける制御部５００ｂを中心に示す制御ブロック図を示している。また、図４（ｃ）は、第３及び第４実施形態に係る画像形成装置Ｄｂ，Ｄｃに備えられる画像読取装置１００ｃ，１００ｄにおける制御部５００ｃ，５００ｄを中心に示す制御ブロック図を一つの図で示している。
【０１３９】
制御部５００ａ〜５００ｄは、原稿読取部２００ａ，２００ｂのイメージセンサ２０５ａ，２０５ｂ、画像搬送部３００及び原稿検出センサ３２０ａ，３２０ｂに電気的に接続されている。また、制御部５００ａ〜５００ｄは、ローラを駆動するモータなどのアクチュエータ、検知スイッチなどのセンサ、操作パネル部などに接続されている。
【０１４０】
図４に示すように、制御部５００ａ〜５００ｄは、ＣＰＵ等の処理部５１０と、ＲＯＭ及びＲＡＭ等のメモリを含む記憶部５２０ａ〜５２０ｄと含むマイクロコンピュータからなっている。詳しくは、この画像読取装置１００ａ〜１００ｄは、制御部５００ａ〜５００ｄの処理部５１０が記憶部５２０ａ〜５２０ｄのＲＯＭに予め格納された制御プログラムを記憶部５２０ａ〜５２０ｄのＲＡＭ上にロードして実行することにより、各種構成要素を制御するようになっている。
【０１４１】
（第１実施形態）
本発明の第１実施形態に係る画像読取装置１００ａは、少なくとも先端Ｐ’を含むように形成された第１マークＱ１（ここでは矩形状の黒色マーク）を有する調整用シートＰによって原稿Ｇの読取開始タイミングが調整されるようになっている。なお、調整用シートＰは、ここでは、当該画像読取装置１００ａを備えた画像形成装置Ｄａが調整用シートＰの印刷パターンの画像データを記憶部６２０ａに予め記憶し、この画像データを用いて画像形成部９０にて印刷したシートとしている。このことは、後述する第２から第４実施形態についても同様である。
【０１４２】
図５は、第１実施形態の原稿読取装置１００ａにおける調整用シートＰによる調整状態を説明するための概略側面図である。
【０１４３】
本第１実施形態においては、光源２１１’は、原稿読取位置Ｒ１を基準にして搬送方向Ｙ１の上流側に配置されている。イメージセンサ２０５ａ，２０５ｂは、ここでは、ＣＩＳ（Contact Image Sensor））等の密着型イメージセンサとされている。なお、イメージセンサとして、ＣＣＤ（Charge Coupled Device）等の縮小型イメージセンサを用いてもよい。
【０１４４】
原稿検出センサ３２０ａ，３２０ｂは、原稿読取位置Ｒ１の搬送方向Ｙ１の上流側において原稿Ｇ及び調整用シートＰの搬送タイミング（ここでは先端タイミング）を検出するものである。ここでは、原稿検出センサ３２０ａ，３２０ｂは、原稿搬送部３００にて搬送される原稿Ｇの先端Ｇ’及び調整用シートＰの先端Ｐ’を原稿読取位置Ｒ１よりも搬送方向Ｙ１の上流側の所定の原稿検出位置Ｒ２で検知するようになっている。
【０１４５】
図７は、第１マークＱ１が先端Ｐ’を含む位置に形成された調整用シートＰを示す平面図である。なお、図７に示す調整用シートＰは、後述する第２から第４実施形態においても用いることができる。すなわち、図７に示す調整用シートＰは、少なくとも搬送方向Ｙ１の上流側端（以下、後端という）Ｐ”を含むように第２マークＱ２（ここでは矩形状の黒色マーク）がさらに形成されている。また、図７に示す調整用シートＰは、搬送方向Ｙ１に直交する方向への搬送を行えるように、搬送方向Ｙ１に直交する方向にもマークが形成されている。
【０１４６】
詳しくは、調整用シートＰには、第１マークＱ１が搬送方向Ｙ１とは直交する方向Ｘに沿って１又は２以上（ここでは３箇所）形成されている。
【０１４７】
図４（ａ）に示す制御部５００ａは、読取手段Ｍ１ａと、読取タイミング調整手段Ｍ２ａとを含む手段として機能するように構成されている。
【０１４８】
読取手段Ｍ１ａは、原稿搬送部３００にて搬送方向Ｙ１に搬送速度Ｖで搬送されつつ原稿読取部２００ａ，２００ｂの光源２１１’にて光照射される原稿Ｇの画像光を原稿読取部２００ａ，２００ｂのイメージセンサ２０５ａ，２０５ｂにて原稿読取位置Ｒ１で読み取るものである。
【０１４９】
詳しくは、読取手段Ｍ１ａは、原稿読取位置Ｒ１を基準にして搬送方向Ｙ１の上流側において原稿検出センサ３２０ａ，３２０ｂにて原稿Ｇの搬送タイミング（ここでは先端Ｇ’）を検出してから、予め設定された読取開始時間Ｔａ経過後に原稿画像の読み取りを開始するようになっている。
【０１５０】
読取タイミング調整手段Ｍ２ａは、調整用シートＰの第１マークＱ１によって読取開始時間Ｔａを調整するものである。
【０１５１】
詳しくは、読取タイミング調整手段Ｍ２ａは、原稿読取位置Ｒ１を基準にして搬送方向Ｙ１の上流側において原稿搬送部３００にて搬送方向Ｙ１に搬送速度Ｖで搬送される調整用シートＰの先端Ｐ’を原稿検出センサ３２０ａ，３２０ｂにて検出してから、原稿読取部２００ａ，２００ｂのイメージセンサ２０５ａ，２０５ｂにて調整用シートＰにおける第１マークＱ１の先端Ｐ’とみなす位置を読み取るまでの読取タイミング調整用時間Ｔ１ａに基づき読取開始時間Ｔａを調整するようになっている。
【０１５２】
具体的には、読取タイミング調整手段Ｍ２ａは、調整用シートＰの先端Ｐ’を原稿検出センサ３２０ａ，３２０ｂにて検知してから、原稿読取部２００ａ，２００ｂのイメージセンサ２０５ａ，２０５ｂにて調整用シートＰにおける第１マークＱ１に対応する２箇所以上の先端Ｐ’とみなす位置を読み取るまでの各々の時間を平均した時間を読取タイミング調整用時間Ｔ１ａとしている。
【０１５３】
そして、記憶部５２０ａには、先端読取誤差補正用情報が予め記憶されている。この先端読取誤差補正用情報は、ここでは、先端Ｐ’での読取誤差（具体的には影Ｎａ）に対応する先端読取誤差補正用時間Ｔ２ａとされている。制御部５００ａは、この先端読取誤差補正用時間Ｔ２ａに基づき原稿Ｇの読取開始タイミングを補正するようになっている。
【０１５４】
本第１実施形態では、予め記憶しておく先端読取誤差補正用時間Ｔ２ａは、光源２１１’からの光Ｌ’による調整用シートＰの先端Ｐ’に形成される影Ｎａの搬送方向Ｙ１の幅Ｈａを搬送速度Ｖで割った時間としている。
【０１５５】
この影Ｎａの搬送方向Ｙ１の幅Ｈａは、印刷した画像から実測で測定してもよいし、搬送方向Ｙ１に搬送される調整用シートＰに対して上流側から光が出射される光源２１１’からの光Ｌ’の入射角度θａと、白板３１８ａ，３１８ｂの光照射面と調整用シートＰの光照射面との間の距離ｄとから次の式（１）で算出してもよい。
【０１５６】
Ｈａ＝ｄｔａｎθａ  ・・・  式（１）
読取タイミング調整手段Ｍ２ａは、読取タイミング調整用時間Ｔ１ａに先端読取誤差補正用時間Ｔ２ａを加算した読取タイミング補正調整用時間Ｔ３ａに基づき読取開始時間Ｔａを調整するようになっている。ここでは、読取開始時間Ｔａが原稿検出センサ３２０ａ，３２０ｂにて調整用シートＰにおける第１マークＱ１の先端Ｐ’を検出してから、原稿読取部２００ａ，２００ｂのイメージセンサ２０５にて調整用シートＰにおける第１マークＱ１の先端Ｐ’とみなす位置を読み取るまでの時間されている。この場合、読取タイミング補正調整用時間Ｔ３ａを読取開始時間Ｔａとすることができる。
【０１５７】
本第１実施形態の画像読取装置１００ａ及びそれを備えた画像形成装置Ｄａによれば、先端読取誤差補正用時間Ｔ２ａを予め記憶部５２０ａに記憶しておくので、原稿読取部２００ａ，２００ｂにて調整用シートＰの先端Ｐ’を読み取るときに影Ｎａによって実際の先端位置よりも先に読み取っても、読取タイミング調整用時間Ｔ１ａに予め記憶しておいた先端読取誤差補正用時間Ｔ２ａを加算した読取タイミング補正調整用時間Ｔ３ａに基づき読取タイミング補正調整用時間Ｔ３ａを読取開始時間Ｔａとして原稿Ｇの読取開始タイミングを補正することで、読取タイミング調整用時間Ｔ３ａを正確な値に補正できる。従って、読取開始時間Ｔａを正確な値に補正でき、これにより、原稿Ｇを読み取る際に正確な読取開始タイミングで原稿画像を読み取ることが可能となる。
【０１５８】
しかも、読取タイミング調整用時間Ｔ１ａに先端読取誤差補正用時間Ｔ２ａを加算するといった比較的簡単な制御構成によって前記読取開始タイミングを補正することができる。
【０１５９】
さらに、読取タイミング調整手段Ｍ２ａは、調整用シートＰの先端Ｐ’を原稿検出センサ３２０ａ，３２０ｂにて検知してから、原稿読取部２００ａ，２００ｂのイメージセンサ２０５ａ，２０５ｂにて調整用シートＰにおける第１マークＱ１に対応する２箇所以上の先端Ｐ’とみなす位置を読み取るまでの各々の時間を平均した時間を読取タイミング調整用時間としているので、調整用シートＰが斜め送りされた場合であっても、原稿読取部２００ａ，２００ｂのイメージセンサ２０５ａ，２０５ｂによる第１マークＱ１の各先端読み取りタイミングのばらつきを均一化することができる。
【０１６０】
なお、本第１実施形態では、光源２１１’は、原稿読取位置Ｒ１を基準にして搬送方向Ｙ１の上流側に配置されているが、原稿読取位置Ｒ１を基準にして搬送方向Ｙ１の上流側及び下流側の双方に配置されていて、上流側に配置された光源の光量が下流側に配置された光源の光量よりも大きくなっていてもよい。
【０１６１】
本第１実施形態において、既述したように、図７に示す調整用シートＰは、少なくとも後端Ｐ”を含むように形成された第２マークＱ２をさらに有している。
【０１６２】
制御部５００ａは、読取倍率調整手段Ｍ３ａをさらに含む手段として機能するように構成されている。
【０１６３】
読取倍率調整手段Ｍ３ａは、調整用シートＰにおける第１マークＱ１及び第２マークＱ２によって予め設定された搬送方向Ｙ１の読取倍率φを（正規の読取倍率に）調整するものである。
【０１６４】
詳しくは、読取倍率調整手段Ｍ３ａは、原稿読取部２００ａ，２００ｂにて調整用シートＰにおける第１マークＱ１の先端Ｐ’とみなす位置を読み取ってから、原稿読取部２００ａ，２００ｂにて調整用シートＰにおける第２マークＱ２の後端Ｐ”とみなす位置を読み取るまでの読取倍率調整用時間Ｔ１ｂに基づき読取倍率φを調整するようになっている。
【０１６５】
そして、制御部５００ａは、先端読取誤差補正用時間Ｔ２ａに基づき読取倍率φを補正するようになっている。
【０１６６】
本第１実施形態では、読取手段Ｍ１ａは、読取倍率調整用時間Ｔ１ｂが調整用シートＰの予め設定した基準搬送時間Ｔｓになるように読取倍率φを調整するようになっている。
【０１６７】
また、読取倍率調整手段Ｍ３ａは、読取倍率調整用時間Ｔ１ｂから先端読取誤差補正用時間Ｔ２ａを差し引いた読取倍率補正調整用時間Ｔ３ｂ’に基づき読取倍率φを調整するようになっている。そして、読取倍率調整用時間Ｔ１ｂを読取倍率補正調整用時間Ｔ３ｂ’としている。
【０１６８】
これにより、読取倍率補正調整用時間Ｔ３ｂ’が基準搬送時間Ｔｓより短いときに、基準搬送時間Ｔｓとの差分だけ搬送速度Ｖを遅くして読取倍率φが本来の読取倍率になるように読取倍率φを調整する一方、読取倍率補正調整用時間Ｔ３ｂ’が基準搬送時間Ｔｓより長いときに、基準搬送時間Ｔｓとの差分だけ搬送速度Ｖを速くして読取倍率φが本来の読取倍率になるように読取倍率φを調整することで、読取倍率φを精度良く調整することができる。
【０１６９】
かかる構成では、原稿読取部２００ａ，２００ｂにて調整用シートＰの先端Ｐ’を読み取るときに影Ｎａによって実際の先端位置よりも先に読み取っても、読取倍率調整用時間Ｔ１ｂから先端読取誤差補正用時間Ｔ２ａを差し引いた読取倍率補正調整用時間Ｔ３ｂ’に基づき読取倍率調整用時間Ｔ１ｂを読取倍率補正調整用時間Ｔ３ｂ’として読取倍率φを補正することで、読取倍率調整用時間Ｔ１ｂを適正な値に補正できる。従って、読取倍率φを適正な値に補正でき、これにより、原稿Ｇを読み取る際に正確な読取倍率φで原稿画像を読み取ることが可能となる。
【０１７０】
しかも、読取倍率調整用時間Ｔ１ｂから先端読取誤差補正用時間Ｔ２ａを差し引くといった比較的簡単な制御構成によって読取倍率φを補正することができる。
【０１７１】
（第２実施形態）
本発明の第２実施形態に係る画像読取装置１００ｂは、少なくとも先端Ｐ’を含むように形成された第１マークＱ１と、少なくとも搬送方向Ｙ１の後端Ｐ”を含むように形成された第マークＱ２とを有する調整用シートＰ（図７参照）によって原稿Ｇの予め設定された搬送方向Ｙ１の読取倍率φが調整されるようになっている。なお、この第２実施形態において、第１実施形態と同じ要素には同一符号を付し、第１実施形態とは異なる点を中心に説明する。このことは、後述する第３及び第４実施形態についても同様である。
【０１７２】
図６は、第２実施形態の原稿読取装置１００ｂにおける調整用シートＰによる調整状態を説明するための概略側面図である。
【０１７３】
本第２実施形態においては、光源２１１”は、ここでは、原稿読取位置Ｒ１を基準にして搬送方向Ｙ１の下流側に配置されている。
【０１７４】
図４（ｂ）に示す制御部５００ｂは、読取手段Ｍ１ａと、読取倍率調整手段Ｍ３ｂとを含む手段として機能するように構成されている。
【０１７５】
読取手段Ｍ１ａは、原稿搬送部３００にて搬送方向Ｙ１に搬送速度Ｖで搬送されつつ原稿読取部２００ａ，２００ｂの光源２１１”にて光照射される原稿Ｇの画像光を原稿読取部２００ａ，２００ｂのイメージセンサ２０５ａ，２０５ｂにて原稿読取位置Ｒ１で読み取るものである。
【０１７６】
詳しくは、読取手段Ｍ１ａは、原稿読取位置Ｒ１を基準にして搬送方向Ｙ１の上流側において原稿検出センサ３２０ａ，３２０ｂ（図６では図示省略、図５参照）にて原稿Ｇの搬送タイミング（ここでは先端Ｇ’）を検出してから、予め設定された読取開始時間Ｔａ経過後に原稿画像の読み取りを開始するようになっている。
【０１７７】
読取倍率調整手段Ｍ３ｂは、調整用シートＰにおける第１マークＱ１及び第２マークＱ２によって予め設定された搬送方向Ｙ１の読取倍率φを（正規の読取倍率に）調整するものである。
【０１７８】
詳しくは、読取倍率調整手段Ｍ３ｂは、原稿読取部２００ａ，２００ｂにて調整用シートＰにおける第１マークＱ１の先端Ｐ’とみなす位置を読み取ってから、原稿読取部２００ａ，２００ｂにて調整用シートＰにおける第２マークＱ２の後端Ｐ”とみなす位置を読み取るまでの読取倍率調整用時間Ｔ１ｂに基づき読取倍率φを調整するようになっている。
【０１７９】
そして、記憶部５２０ｂには、後端読取誤差補正用情報が予め記憶されている。この後端読取誤差補正用情報は、ここでは、後端Ｐ”での読取誤差（具体的には影Ｎｂ）に対応する後端読取誤差補正用時間Ｔ２ｂとされている。制御部５００ｂは、この後端読取誤差補正用時間Ｔ２ｂに基づき読取倍率φを補正するようになっている。
【０１８０】
本第２実施形態では、予め記憶しておく後端読取誤差補正用時間Ｔ２ｂは、光源２１１”からの光Ｌ”による調整用シートＰの後端Ｐ”に形成される影Ｎｂの搬送方向Ｙ１の幅Ｈｂを搬送速度Ｖで割った時間としている。
【０１８１】
この影Ｎｂの搬送方向Ｙ１の幅Ｈｂは、印刷した画像から実測で測定してもよいし、搬送方向Ｙ１に搬送される調整用シートＰに対して下流側から光が出射される光源２１１”からの光Ｌ”の入射角度θｂと、白板３１８ａ，３１８ｂの光照射面と調整用シートＰの光照射面との間の距離ｄとから次の式（２）で算出してもよい。
【０１８２】
Ｈｂ＝ｄｔａｎθｂ  ・・・  式（２）
本第２実施形態では、読取手段Ｍ１ａは、読取倍率調整用時間Ｔ１ｂが調整用シートＰの予め設定した基準搬送時間Ｔｓになるように読取倍率φを調整するようになっている。
【０１８３】
また、読取倍率調整手段Ｍ３ｂは、読取倍率調整用時間Ｔ１ｂから後端読取誤差補正用時間Ｔ２ｂを差し引いた読取倍率補正調整用時間Ｔ３ｂ”に基づき読取倍率φを調整するようになっている。そして、読取倍率調整用時間Ｔ１ｂを読取倍率補正調整用時間Ｔ３ｂ”としている。
【０１８４】
これにより、読取倍率補正調整用時間Ｔ３ｂ”が基準搬送時間Ｔｓより短いときに、基準搬送時間Ｔｓとの差分だけ搬送速度Ｖを遅くして読取倍率φが本来の読取倍率になるように読取倍率φを調整する一方、読取倍率補正調整用時間Ｔ３ｂ”が基準搬送時間Ｔｓより長いときに、基準搬送時間Ｔｓとの差分だけ搬送速度Ｖを速くして読取倍率φが本来の読取倍率になるように読取倍率φを調整することで、読取倍率φを精度良く調整することができる。
【０１８５】
本第２実施形態の画像読取装置１００ｂ及びそれを備えた画像形成装置Ｄａによれば、後端読取誤差補正用時間Ｔ２ｂを予め記憶部５２０ｂに記憶しておくので、原稿読取部２００ａ，２００ｂにて調整用シートＰの後端Ｐ”を読み取るときに影Ｎｂによって実際の後端位置よりも遅れて読み取っても、読取倍率調整用時間Ｔ１ｂから後端読取誤差補正用時間Ｔ２ｂを差し引いた読取倍率補正調整用時間Ｔ３ｂ”に基づき読取倍率調整用時間Ｔ１ｂを読取倍率補正調整用時間Ｔ３ｂ”として読取倍率φを補正することで、読取倍率調整用時間Ｔ１ｂを適正な値に補正できる。従って、読取倍率φを適正な値に補正でき、これにより、原稿Ｇを読み取る際に正確な読取倍率φで原稿画像を読み取ることが可能となる。
【０１８６】
しかも、読取倍率調整用時間Ｔ１ｂから先端読取誤差補正用時間Ｔ２ｂを差し引くといった比較的簡単な制御構成によって読取倍率φを調整することができる。
【０１８７】
（第３実施形態）
本第３実施形態においては、第１実施形態と同様、光源２１１’は、原稿読取位置Ｒ１を基準にして搬送方向Ｙ１の上流側に配置されている。
【０１８８】
図４（ｃ）に示す画像読取装置１００ｃにおける制御部５００ｃは、読取手段Ｍ１ａと、読取タイミング調整手段Ｍ２ｃとを含む手段として機能するように構成されている。
【０１８９】
読取タイミング調整手段Ｍ２ｃは、調整用シートＰの第１マークＱ１によって読取開始時間Ｔａを調整するものである。この読取タイミング調整手段Ｍ２ｃは、読取タイミング調整用時間Ｔ１ａの補正処理を行わないこと以外は第１実施形態の読取タイミング調整手段Ｍ２ａと同じである。
【０１９０】
図２（ｂ）に示すように、本第３実施形態の画像形成装置Ｄｂは、本体制御部６００ｂの指示の下、画像読取装置１００ｃからの画像情報に基づき画像形成部９０にて記録シートに印刷画像を印刷するようになっている。
【０１９１】
そうすると、調整用シートＰの先端Ｐ’の影Ｎａにより読取タイミング調整用時間Ｔ１ａが本来の時間より短くなるため、この読取タイミング調整用時間Ｔ１ａにより読取開始タイミングが調整されると、画像読取装置１００ｃからの画像情報が原稿Ｇの搬送方向Ｙ１で正規の画像位置とは搬送方向Ｙ１の上流側にずれた画像情報となる。
【０１９２】
この点、記憶部６２０ｂには、先端読取誤差補正用情報が予め記憶されている。この先端読取誤差補正用情報は、ここでは、先端Ｐ’での読取誤差（具体的には影Ｎａ）に対応する先端読取誤差補正用距離（具体的には影Ｎａの幅）Ｈａとされている。
【０１９３】
本体制御部６００ｂは、この先端読取誤差補正用距離Ｈａに基づき印刷画像の搬送方向Ｙ１の画像位置を補正する。かかる補正としては、例えば、本体制御部６００ｂは、画像処理により画像データを先端読取誤差補正用距離Ｈａだけ搬送方向Ｙ１の下流側へ移動させる処理を行って、印刷画像の搬送方向Ｙ１の画像位置を補正する態様、露光ユニット１により感光体ドラム３へ先端読取誤差補正用距離Ｈａだけ早期に画像書き込みを行って、印刷画像の搬送方向Ｙ１の画像位置を補正する態様、或いは、シート搬送装置５０により中間転写ベルト７又は記録シートを先端読取誤差補正用距離Ｈａだけ遅れて転写部に移行させるベルト搬送又はシート搬送を行って、印刷画像の搬送方向Ｙ１の画像位置を補正する態様を挙げることができる。
【０１９４】
また、図４（ｃ）に示すように、画像読取装置１００ｃにおける制御部５００ｃは、読取倍率調整手段Ｍ３ｃをさらに含む手段として機能するように構成されている。
【０１９５】
読取倍率調整手段Ｍ３ｃは、調整用シートＰの第１マークＱ１及び第２マークＱ２によって読取倍率φを（正規の読取倍率に）調整するものである。この読取倍率調整手段Ｍ３ｃは、読取倍率φの補正処理を行わないこと以外は第１実施形態の読取倍率調整手段Ｍ３ａと同じである。
【０１９６】
そうすると、調整用シートＰの先端Ｐ’の影Ｎａにより読取倍率調整用時間Ｔ１ｂが本来の時間より長くなるため、この読取倍率調整用時間Ｔ１ｂにより読取倍率が調整されると、画像読取装置１００ｃからの画像情報が原稿Ｇの搬送方向Ｙ１で正規の読取倍率に比べ縮小された画像情報となる。
【０１９７】
この点、図２（ｂ）に示す本体制御部６００ｂは、先端読取誤差補正用距離Ｈａに基づき印刷画像の搬送方向Ｙ１の倍率を補正する。かかる補正としては、例えば、本体制御部６００ｂは、画像処理により画像データを先端読取誤差補正用距離Ｈａだけ拡大させる処理を行って、印刷画像の搬送方向Ｙ１の倍率を補正する態様、或いは、露光ユニット１による感光体ドラム３へ画像書き込み速度を先端読取誤差補正用距離Ｈａだけ遅くする書き込み動作を行って、印刷画像の搬送方向Ｙ１の倍率を補正する態様を挙げることができる。
【０１９８】
本第３実施形態の画像形成装置Ｄｂによれば、先端読取誤差補正用距離Ｈａを予め記憶部６２０ｂに記憶しておくので、原稿読取部２００ａ，２００ｂにて調整用シートＰの先端Ｐ’を読み取るときに実際の先端位置よりも先に読み取っても、予め記憶しておいた先端読取誤差補正用距離Ｈａに基づき印刷画像の搬送方向Ｙ１の画像位置を補正することで、該印刷画像を搬送方向Ｙ１の正規の画像位置で記録シートに印刷することができる。
【０１９９】
しかも、先端読取誤差補正用距離Ｈａに基づき印刷画像の搬送方向Ｙ１の倍率を補正するので、原稿読取部２００ａ，２００ｂにて調整用シートＰの先端Ｐ’を読み取るときに実際の先端位置よりも先に読み取っても、予め記憶しておいた先端読取誤差補正用情報Ｈａに基づき印刷画像の搬送方向Ｙ１の倍率を補正することで、該印刷画像を搬送方向Ｙ１の正規の倍率で記録シートに印刷することができる。
【０２００】
また、画像処理装置としても作用する本第３実施形態の画像形成装置Ｄｂは、画像読取装置１００ｃからの画像情報に基づき本体制御部６００ｂにてＰＤＦ等の所定の画像データを作成するようになっている。
【０２０１】
本体制御部６００ｂは、先端読取誤差補正用距離Ｈａに基づき画像データの搬送方向Ｙ１の画像位置を補正する。さらに、本体制御部６００ｂは、先端読取誤差補正用距離Ｈａに基づき画像データの搬送方向Ｙ１の倍率を補正する。これらの画像位置の補正及び倍率の補正は、従来の各種手法を採用することができ、ここでは詳しい説明は省略する。
【０２０２】
画像処理装置としても作用する本第３実施形態の画像形成装置Ｄｂによれば、先端読取誤差補正用距離Ｈａを予め記憶部６２０ｂに記憶しておくので、原稿読取部２００ａ，２００ｂにて調整用シートＰの先端Ｐ’を読み取るときに実際の先端位置よりも先に読み取っても、予め記憶しておいた先端読取誤差補正用距離Ｈａに基づき画像データの搬送方向Ｙ１の画像位置を補正することで、該画像データを搬送方向Ｙ１の正規の画像位置で作成することができる。
【０２０３】
しかも、先端読取誤差補正用距離Ｈａに基づき画像データの搬送方向Ｙ１の倍率を補正するので、原稿読取部２００ａ，２００ｂにて調整用シートＰの先端Ｐ’を読み取るときに実際の先端位置よりも先に読み取っても、予め記憶しておいた先端読取誤差補正用情報Ｈａに基づき画像データの搬送方向Ｙ１の倍率を補正することで、該画像データを搬送方向Ｙ１の正規の倍率で作成することができる。
【０２０４】
（第４実施形態）
本第４実施形態においては、第２実施形態と同様、光源２１１”は、原稿読取位置Ｒ１を基準にして搬送方向Ｙ１の下流側に配置されている。
【０２０５】
図４（ｃ）に示す画像読取装置１００ｄにおける制御部５００ｄは、読取手段Ｍ１ａと、読取倍率調整手段Ｍ３ｃとを含む手段として機能するように構成されている。
【０２０６】
読取倍率調整手段Ｍ３ｃは、調整用シートＰの第１マークＱ１及び第２マークＱ２によって読取倍率φを（正規の読取倍率に）調整するものである。この読取倍率調整手段Ｍ３ｃは、読取倍率φの補正処理を行わないこと以外は第２実施形態の読取倍率調整手段Ｍ３ｂと同じである。
【０２０７】
図２（ｃ）に示すように、本第４実施形態の画像形成装置Ｄｃは、本体制御部６００ｃの指示の下、画像読取装置１００ｄからの画像情報に基づき画像形成部９０にて記録シートに印刷画像を印刷するようになっている。
【０２０８】
そうすると、調整用シートＰの後端Ｐ”の影Ｎｂにより読取倍率調整用時間Ｔ１ｂが本来の時間より長くなるため、この読取倍率調整用時間Ｔ１ｂにより読取倍率が調整されると、画像読取装置１００ｄからの画像情報が原稿Ｇの搬送方向Ｙ１で正規の読取倍率に比べ縮小された画像情報となる。
【０２０９】
この点、記憶部６２０ｃには、後端読取誤差補正用情報が予め記憶されている。この後端読取誤差補正用情報は、ここでは、後端Ｐ”での読取誤差（具体的には影Ｎｂ）に対応する後端読取誤差補正用距離（具体的には影Ｎｂの幅）Ｈｂとされている。
【０２１０】
本体制御部６００ｃは、この後端読取誤差補正用距離Ｈｂに基づき印刷画像の搬送方向Ｙ１の倍率を補正する。かかる補正としては、例えば、本体制御部６００ｃは、画像処理により画像データを後端読取誤差補正用距離Ｈｂだけ拡大させる処理を行って、印刷画像の搬送方向Ｙ１の倍率を補正する態様、或いは、露光ユニット１による感光体ドラム３へ画像書き込み速度を後端読取誤差補正用距離Ｈｂだけ遅くする書き込み動作を行って、印刷画像の搬送方向Ｙ１の倍率を補正する態様を挙げることができる。
【０２１１】
本第４実施形態の画像形成装置Ｄｃによれば、後端読取誤差補正用距離Ｈｂを予め記憶部６２０ｃに記憶しておくので、原稿読取部２００ａ，２００ｂにて調整用シートＰの後端Ｐ”を読み取るときに実際の後端位置よりも遅れて読み取っても、予め記憶しておいた後端読取誤差補正用距離Ｈｂに基づき印刷画像の搬送方向Ｙ１の倍率を補正することで、該印刷画像を搬送方向Ｙ１の正規の倍率で記録シートに印刷することができる。
【０２１２】
また、画像処理装置としても作用する本第４実施形態の画像形成装置Ｄｃは、画像読取装置１００ｄからの画像情報に基づき本体制御部６００ｃにてＰＤＦ等の所定の画像データを作成するようになっている。
【０２１３】
本体制御部６００ｃは、後端読取誤差補正用距離Ｈｂに基づき画像データの搬送方向Ｙ１の倍率を補正する。さらに、本体制御部６００ｃは、後端読取誤差補正用距離Ｈｂに基づき画像データの搬送方向Ｙ１の倍率を補正する。この倍率の補正は、従来の各種手法を採用することができ、ここでは詳しい説明は省略する。
【０２１４】
画像処理装置としても作用する本第４実施形態の画像形成装置Ｄｃによれば、後端読取誤差補正用距離Ｈｂを予め記憶部６２０ｃに記憶しておくので、原稿読取部２００ａ，２００ｂにて調整用シートＰの後端Ｐ”を読み取るときに実際の後端位置よりも遅れて読み取っても、予め記憶しておいた後端読取誤差補正用距離Ｈｂに基づき画像データの搬送方向Ｙ１の倍率を補正することで、該画像データを搬送方向Ｙ１の正規の倍率で作成することができる。
【符号の説明】
【０２１５】
１００ａ〜１００ｄ      画像読取装置
２００ａ，２００ｂ      原稿読取部
２１１’，２１１”      光源
３００                  原稿搬送部
３０３                  原稿搬送路
３１８ａ，３１８ｂ      白板（読取部材の一例）
Ｄａ〜Ｄｃ              画像形成装置（画像処理装置）
Ｇ                      原稿
Ｈａ，Ｈｂ              影の幅
Ｍ１ａ                  読取手段
Ｍ２ａ，Ｍ２ｃ          読取タイミング調整手段
Ｍ３ａ，Ｍ３ｂ，Ｍ３ｃ  読取倍率調整手段
Ｎａ，Ｎｂ              影
Ｐ                      調整用シート
Ｐ’                    調整用シートの下流側端（先端）
Ｐ”                    調整用シートの上流側端（後端）
Ｑ１                    第１マーク
Ｑ２                    第２マーク
Ｒ１                    所定の原稿読取位置
Ｔａ                    読取開始時間
Ｔ１ａ                  読取タイミング調整用時間
Ｔ１ｂ                  読取倍率調整用時間
Ｔ２ａ                  下流側端（先端）読取誤差補正用情報
Ｔ２ｂ                  上流側端（後端）読取誤差補正用情報
Ｔ３ａ                  読取タイミング補正調整用時間
Ｔ３ｂ’，Ｔ３ｂ”      読取倍率補正調整用時間
Ｖ                      所定の搬送速度
Ｙ１                    所定の搬送方向
φ                      読取倍率
【図１】
2010193176.tif 000003
【図２】
2010193176.tif 000004
【図３】
2010193176.tif 000005
【図４】
2010193176.tif 000006
【図５】
2010193176.tif 000007
【図６】
2010193176.tif 000008
【図７】
2010193176.tif 000009
【図８】
2010193176.tif 000010
【図９】
2010193176.tif 000011